(57)【要約】【課題】  デシカント式の空気調和機の室内機側におけるドレン水の発生を抑制することが可能な空気調和機およびその制御方法を提供する。【解決手段】  空気調和機１０は、第１熱交換器、第２熱交換器、サーミスタ、湿度センサ３ｂ，５ｂ、温湿度センサ、送風ファン、圧縮機、ケーシング、制御部８０等を備えている。制御部８０は、ドレン水認識部として機能する水位センサ８１等を用いて、吸着剤が表面に担持された熱交換器のうち、蒸発器とし機能する側におけるドレン水の発生を検知、あるいは湿度センサ３ｂ，５ｂ等を用いてドレン水の発生を予測すると、それ以降のドレン水の発生を抑制するために、空気流路切換機構９１、四路切換弁９、膨張弁１１等を調整して乾燥運転を行う。【選択図】      図１１
2005291571.tif 000002
【特許請求の範囲】
【請求項１】
蒸気圧縮式の冷凍サイクル運転を行うことによって、室内空間における顕熱負荷および潜熱負荷を処理する空気調和機（１０）であって、
空気中の水分を吸着する吸着剤と、
前記冷凍サイクルにおける冷媒の蒸発器として機能して前記吸着剤に水分を吸着させる吸着動作と、凝縮器として機能して前記吸着剤から水分を脱離させる再生動作とを行う熱交換器（３，５）と、
前記熱交換器（３，５）におけるドレン水の発生を予測あるいは検知するドレン水認識部（３ｂ，３ｃ，３ｄ，４，５ｂ，５ｃ，５ｄ，８１，８５）と、
前記ドレン水認識部（３ｂ，３ｃ，３ｄ，４，５ｂ，５ｃ，５ｄ，８１，８５）における予測あるいは検知結果に基づいて、前記ドレン水の発生を抑制する乾燥運転を行う制御部（８０）と、
を備えている空気調和機（１０）。
【請求項２】
前記ドレン水認識部（３ｂ，３ｃ，３ｄ，４，５ｂ，５ｃ，５ｄ，８１，８５）は、前記熱交換器（３，５）の下部に配置されたドレンパン（８３）に取り付けられた水位センサ（８１）を有している、
請求項１に記載の空気調和機（１０）。
【請求項３】
前記ドレン水認識部（３ｂ，３ｃ，３ｄ，４，５ｂ，５ｃ，５ｄ，８１，８５）は、前記蒸発器として機能する前記熱交換器（３，５）を通過した空気の温度および湿度の少なくとも一方を検知するセンサ（３ｂ，４，５ｂ）を有している、
請求項１に記載の空気調和機（１０）。
【請求項４】
前記ドレン水認識部（３ｂ，３ｃ，３ｄ，４，５ｂ，５ｃ，５ｄ，８１，８５）は、前記熱交換器（３，５）の上部と下部とにそれぞれ設けられた温度センサ（３ｃ，５ｃ，３ｄ，５ｄ）を有している、
請求項１に記載の空気調和機（１０）。
【請求項５】
前記冷凍サイクルにおいて流れる冷媒を加圧する圧縮機（７）をさらに備えており、
前記制御部（８０）は、前記圧縮機（７）の容量を抑えて前記乾燥運転を行う、
請求項１から４のいずれか１項に記載の空気調和機（１０）。
【請求項６】
前記制御部（８０）は、前記熱交換器（３，５）における前記再生動作と前記吸着動作とを、所定のバッチ切換時間が経過するたびに交互に切り換えながら運転を行うとともに、前記バッチ切換時間を長くして前記乾燥運転を行う、
請求項１から４のいずれか１項に記載の空気調和機（１０）。
【請求項７】
前記制御部（８０）は、前記熱交換器（３，５）における前記再生動作と前記吸着動作とを、所定のバッチ切換時間が経過するたびに交互に切り換えながら運転を行うとともに、前記バッチ切換時間を短くして前記乾燥運転を行う、
請求項１から４のいずれか１項に記載の空気調和機（１０）。
【請求項８】
前記制御部（８０）は、前記室内空間から取り込んだ空気に対して前記潜熱負荷の処理を行い、前記処理された空気を室内空間へ排出するとともに、室外から取り込んだ空気に対して前記潜熱負荷を供給して室外へ放出する循環運転に切り換えて前記乾燥運転を行う、
請求項１から４のいずれか１項に記載の空気調和機（１０）。
【請求項９】
前記熱交換器の近傍に配置された熱源（８６）をさらに備えており、
前記制御部は、前記ドレン水認識部（３ｂ，３ｃ，３ｄ，４，５ｂ，５ｃ，５ｄ，８１，８５）においてドレン水の発生が予測あるいは検知された場合には、前記熱源（８６）からドレン水に対して顕熱を与える、
請求項１から４のいずれか１項に記載の空気調和機（１０）。
【請求項１０】
前記制御部（８０）は、前記熱交換器（３，５）における前記再生動作と前記吸着動作とを、所定のバッチ切換時間が経過するたびに交互に切り換えながら運転を行うとともに、
前記バッチ切換時間の経過時において、前記冷媒の流路を切り換える冷媒流路切換部（９）と、空気の流路を切り換える空気流路切換部（３５〜３８，４７〜５０）とをさらに備えており、
前記冷媒流路切換部（９）における前記冷媒の流路切り換えを前記空気流路切換部（３５〜３８，４７〜５０）における空気の流路を切り換えるタイミングよりも早くして前記乾燥運転を行う、
請求項１から４のいずれか１項に記載の空気調和機（１０）。
【請求項１１】
蒸気圧縮式の冷凍サイクル運転を行うことによって、室内空間における顕熱負荷および潜熱負荷を処理するとともに、空気中の水分を吸着する吸着剤と、前記冷凍サイクルにおける冷媒の蒸発器として機能して前記吸着剤に水分を吸着させる吸着動作と凝縮器として機能して前記吸着剤から水分を脱離させる再生動作とを行う熱交換器（３，５）と、機内におけるドレン水の発生を予測あるいは検知するドレン水認識部（３ｂ，３ｃ，３ｄ，４，５ｂ，５ｃ，５ｄ，８１，８５）と、を備えた空気調和機（１０）の制御方法であって、
前記ドレン水認識部（３ｂ，３ｃ，３ｄ，４，５ｂ，５ｃ，５ｄ，８１，８５）における予測あるいは検知結果に基づいて、前記ドレン水の発生を抑制する乾燥運転を行う、
空気調和機（１０）の制御方法。
【発明の詳細な説明】
【技術分野】
【０００１】
本発明は、空気と冷媒との間で熱交換を行わせるための熱交換器を備えた空気調和機およびその制御方法に関する。
【背景技術】
【０００２】
従来より、室内空間を快適な環境に保つために、室内空間に存在する顕熱負荷および潜熱負荷をそれぞれ処理する熱交換器を備えた空気調和機が提供されている。
空気調和機において除湿運転を行う場合には、一般的に、蒸発器として機能する熱交換器の温度（冷媒の温度）を、これを通過する空気の露点温度以下まで下げて熱交換器を通過する際に空気中の水分を結露させることで除去し、潜熱処理を行っている（特許文献１参照）。
【０００３】
例えば、特許文献１に開示された空気調和機では、上記のようにして熱交換器において発生したドレン水を空気調和機の室内機から屋外まで配設されたドレン配管を通じて屋外へ排出している。これにより、空気調和機の室内機において大量に発生するドレン水が室内機であふれて室内にたれてくる等の不具合の発生を防止して、屋外へ排出することができる。
【特許文献１】特開２００２−１３７５６号公報（平成１４年１月１８日公開）
【特許文献２】特開平１０−１９６９９５号公報（平成１０年７月３１日公開）
【発明の開示】
【発明が解決しようとする課題】
【０００４】
しかしながら、上記公報に開示された従来の空気調和機では、以下に示すような問題点を有している。
すなわち、上記公報に開示された空気調和機では、上記のようにドレン水を室内機から屋外へ排出するためのドレン配管を配設する必要があるため、工事が面倒で、かつコストアップの要因となっていた。
【０００５】
本発明の課題は、デシカント式の空気調和機の室内機側におけるドレン水の発生を抑制することが可能な空気調和機およびその制御方法を提供することにある。
【課題を解決するための手段】
【０００６】
第１の発明に係る空気調和機は、蒸気圧縮式の冷凍サイクル運転を行うことによって、室内空間における顕熱負荷および潜熱負荷を処理する空気調和機であって、吸着剤と熱交換器とドレン水認識部と制御部とを備えている。吸着剤は、空気中の水分を吸着する。熱交換器は、冷凍サイクルにおける冷媒の蒸発器として機能して吸着剤に水分を吸着させる吸着動作と、凝縮器として機能して吸着剤から水分を脱離させる再生動作とを行う。ドレン水認識部は、熱交換器におけるドレン水の発生を予測あるいは検知する。制御部は、ドレン水認識部における予測あるいは検知結果に基づいて、ドレン水の発生を抑制する乾燥運転を行う。
【０００７】
ここでは、ドレン水認識部が、ドレン水が発生しやすい空気調和機の内部、例えば、蒸発器となって吸着動作を行う熱交換器におけるドレン水の発生を予測または検知して、制御部が乾燥運転を行う。
これにより、蒸発器となって吸着動作を行う熱交換器においてドレン水が発生したことを予測して、あるいは実際にドレン水が発生したことを検知して乾燥運転を行い、空気調和機の内部においてドレン水が発生しにくい環境を形成することができる。よって、空気調和機の内部におけるドレン水の発生を予防または抑制することが可能になる。
【０００８】
この結果、ドレン水配管が設置されている空気調和機と比較して、例えば、空気調和機からドレン水を外部へ排出するためのドレン水配管の設置を不要にしてコストダウンを図ることができる、ドレン水配管を従来の配管径よりも細いものに置き換えられる等の効果を奏する。
第２の発明にかかる空気調和機は、第１の発明に記載の空気調和機であって、ドレン水認識部は、熱交換器の下部に配置されたドレンパンに取り付けられた水位センサを有している。
【０００９】
ここでは、ドレン水認識部が、熱交換器が蒸発器として機能する際に発生するドレン水が溜まるドレンパンにおいてドレン水の発生を検知する水位センサを備えている。
これにより、熱交換器においてドレン水が発生したことを容易に検知することができる。
第３の発明に係る空気調和機は、第１の発明に記載の空気調和機であって、ドレン水認識部は、蒸発器として機能する熱交換器を通過した空気の温度および湿度の少なくとも一方を検知するセンサを有している。
【００１０】
ここでは、ドレン水認識部が、蒸発器として機能して吸着動作を行った熱交換器側を通過した空気の温度および／または湿度を検知するセンサを備えている。
これにより、蒸発器として機能して吸着動作を行う熱交換器を通過した空気が高湿度になっていることを検知して、蒸発器として機能する熱交換器におけるドレン水の発生を予測することができる。
【００１１】
第４の発明に係る空気調和機は、第１の発明に記載の空気調和機であって、ドレン水認識部は、熱交換器の上部と下部とにそれぞれ設けられた温度センサを有している。
ここでは、ドレン水認識部が、ドレン水の発生を検知する手段として、熱交換器の上部、下部のそれぞれに設けられた温度センサを備えている。
これにより、熱交換器が蒸発器として吸着動作を行った際に吸着剤で吸収できずに発生したドレン水が熱交換器の下部に溜まると、この熱交換器が凝縮機として再生動作を行う際に熱交換器における上部と下部とで温度上昇に差が生じる。このため、熱交換器が蒸発器から凝縮器へと切り換えられた際に生じる熱交換器上部と下部とにおける温度差を検出するために、熱交換器の上部と下部とに温度検知素子をそれぞれ設けることで、ドレン水の発生を検知することができる。
【００１２】
第５の発明に係る空気調和機は、第１から第４の発明のいずれか１つに記載の空気調和機であって、冷凍サイクルにおいて流れる冷媒を加圧する圧縮機をさらに備えており、制御部は、圧縮機の容量を抑えて乾燥運転を行う。
ここでは、ドレン水認識部においてドレン水の発生を検知した場合には、制御部が冷凍サイクルを構成する圧縮機の容量を調整して、冷凍サイクルにおいて流れる冷媒の蒸発温度を室内空間における空気の露点温度よりも上昇させる。
【００１３】
これにより、空気調和機の内部におけるドレン水の発生を効果的に抑制して乾燥運転を行うことができる。
第６の発明に係る空気調和機は、第１から第４の発明のいずれか１つに記載の空気調和機であって、制御部は、熱交換器における再生動作と吸着動作とを、所定のバッチ切換時間が経過するたびに交互に切り換えながら運転を行うとともに、バッチ切換時間を長くして乾燥運転を行う。
【００１４】
ここでは、上記ドレン水認識部においてドレン水の発生を検知した場合には、制御部が検知時における運転状態よりもバッチ切換時間を長くする。
これにより、例えば、空気流路切換時間が長くなることで、熱交換器を通過した空気に含まれる顕熱の処理量が減少して空気に顕熱負荷が多く残され、ドレン水を蒸発させやすい状態にすることができる。また、冷媒流路切換時間が長くなることで、凝縮熱が増大してドレン水を蒸発させやすい状態にすることができる。この結果、複数の熱交換器において吸着動作と再生動作とを切り換えながら運転を行う空気調和機において、ドレン水の発生を効果的に抑制することができる。
【００１５】
第７の発明に係る空気調和機は、第１から第４のいずれか１つに記載の空気調和機であって、制御部が、熱交換器における再生動作と吸着動作とを、所定のバッチ切換時間が経過するたびに交互に切り換えながら運転を行う。そして、バッチ切換時間を短くして乾燥運転を行う。
ここでは、上記ドレン水認識部においてドレン水の発生を検知した場合には、制御部が検知時における運転状態よりもバッチ切換時間を短くする。これにより、吸着動作と再生動作との切り換えが早くなり、吸着剤が常に高い吸着力を保持した状態を維持することができる。一方、蒸発器、凝縮器として機能する熱交換器が十分に温度上昇、下降する前に切り換えられるため、顕熱の処理能力が低下する。この結果、潜熱負荷を効率よく処理する乾燥運転を行うことができる。
【００１６】
第８の発明に係る空気調和機は、第１から第４の発明のいずれか１つに記載の空気調和機であって、制御部は、室内空間から取り込んだ空気に対して潜熱負荷の処理を行い、処理された空気を室内空間へ排出するとともに、室外から取り込んだ空気に対して潜熱負荷を供給して室外へ放出する循環運転に切り換えて乾燥運転を行う。
ここでは、上記ドレン水認識部においてドレン水の発生を検知した場合には、制御部が空気の流路を切り換えて循環運転を行い、潜熱負荷を外気へ放出する。
【００１７】
これにより、空気調和機におけるドレン水の発生を効果的に抑制することができる。
第９の発明に係る空気調和機は、第１から第４の発明のいずれか１つに記載の空気調和機であって、熱交換器の近傍に配置された熱源をさらに備えており、制御部は、ドレン水認識部においてドレン水の発生が予測あるいは検知された場合には、熱源からドレン水に対して顕熱を与える。
【００１８】
ここでは、上記ドレン水認識部においてドレン水の発生を予測または検知した場合には、熱交換器の近傍に配置された電気ヒータ等の熱源によってドレン水を加熱する。
これにより、熱交換器において発生したドレン水を蒸発させて、空気調和機におけるドレン水が溜まることを防止することができる。
第１０の発明に係る空気調和機は、第１から第４の発明のいずれか１つに記載の空気調和機であって、制御部は、熱交換器における再生動作と吸着動作とを、所定のバッチ切換時間が経過するたびに交互に切り換えながら運転を行うとともに、バッチ切換時間の経過時において、冷媒の流路を切り換える冷媒流路切換部と、空気の流路を切り換える空気流路切換部とをさらに備えており、冷媒流路切換部における冷媒の流路切り換えを空気流路切換部における空気の流路を切り換えるタイミングよりも早くして乾燥運転を行う。
【００１９】
ここでは、上記ドレン水認識部においてドレン水の発生を検知した場合には、制御部が冷媒流路の切り換えタイミングを空気流路の切り換えタイミングよりも早くする。
これにより、ドレン水が発生する蒸発器として機能する熱交換器側に早めに湿度の低い空気を送り込むことができるため、その後のドレン水の発生を抑制できる。また、凝縮器として機能する側の熱交換器については、凝縮器として機能する時間は変化しないため、熱交換器を乾燥させることができる。
【００２０】
第１１の発明に係る空気調和機の制御方法は、蒸気圧縮式の冷凍サイクル運転を行うことによって、室内空間における顕熱負荷および潜熱負荷を処理するとともに、空気中の水分を吸着する吸着剤と、冷凍サイクルにおける冷媒の蒸発器として機能して吸着剤に水分を吸着させる吸着動作と凝縮器として機能して吸着剤から水分を脱離させる再生動作とを行う熱交換器と、機内におけるドレン水の発生を予測あるいは検知するドレン水認識部と、を備えた空気調和機の制御方法である。そして、本発明の空気調和機の制御方法では、ドレン水認識部における予測あるいは検知結果に基づいて、ドレン水の発生を抑制する乾燥運転を行う。
【００２１】
ここでは、ドレン水認識部が、ドレン水が発生しやすい空気調和機の内部、例えば蒸発器となって吸着動作を行う熱交換器におけるドレン水の発生を予測または検知すると、制御部が乾燥運転を行う。
これにより、蒸発器となって吸着動作を行う熱交換器においてドレン水が発生したことを予測して、あるいは実際にドレン水が発生したことを検知して乾燥運転を行い、空気調和機の内部においてドレン水が発生しにくい環境を形成することができる。よって、空気調和機の内部におけるドレン水の発生を予防または抑制することが可能になる。
【００２２】
この結果、ドレン水配管が設置されている空気調和機と比較して、例えば、空気調和機からドレン水を外部へ排出するためのドレン水配管の設置を不要にしてコストダウンを図ることができる、ドレン水配管を従来の配管径よりも細いものに置き換えられる等の効果を奏する。
【発明の効果】
【００２３】
第１の発明に係る空気調和機によれば、空気調和機の内部におけるドレン水の発生を抑制することができる。
第２の発明に係る空気調和機によれば、熱交換器においてドレン水が発生したことを容易に検知することができる。
第３の発明に係る空気調和機によれば、蒸発器として機能する熱交換器におけるドレン水の発生を予測することができる。
【００２４】
第４の発明に係る空気調和機によれば、ドレン水の発生を検知することができる。
第５の発明に係る空気調和機によれば、空気調和機の内部におけるドレン水の発生を効果的に抑制して乾燥運転を行うことができる。
第６の発明に係る空気調和機によれば、ドレン水の発生を効果的に抑制することができる。
【００２５】
第７の発明に係る空気調和機によれば、潜熱負荷および顕熱負荷の処理量を調整する乾燥運転を行うことができる。
第８の発明に係る空気調和機によれば、空気調和機におけるドレン水の発生を効果的に抑制することができる。
第９の発明に係る空気調和機によれば、熱交換器において発生したドレン水を蒸発させて、空気調和機におけるドレン水が溜まることを防止することができる。
【００２６】
第１０の発明に係る空気調和機によれば、空気調和機において処理される潜熱処理量を調整して、その後のドレン水の発生を抑制できる。
第１１の発明に係る空気調和機の制御方法によれば、空気調和機の内部におけるドレン水の発生を抑制することができる。
【発明を実施するための最良の形態】
【００２７】
本発明の一実施形態に係る空気調和機およびその制御方法について、図１〜図１５を用いて説明すれば以下の通りである。
［空気調和機全体の構成］
本実施形態の空気調和機１０は、熱交換器の表面にシリカゲル等の吸着剤を担持したデシカント式外調機であって、室内空間に供給される空気に対して冷房除湿運転、あるいは暖房加湿運転を行う。また、空気調和機１０は、図１〜図３に示すように、第１熱交換器（熱交換器）３、第２熱交換器（熱交換器）５、サーミスタ３ａ，５ａ（図５参照）、湿度センサ（ドレン水認識部）３ｂ，５ｂ（図５参照）、温湿度センサ（ドレン水認識部）４（図５参照）、送風ファン７７，７９、圧縮機７、ケーシング１７、制御部８０（図１１参照）等を備え、後述する冷媒回路１を形成している。
【００２８】
第１熱交換器３および第２熱交換器５は、図４に示すように、クロスフィン式のフィン・アンド・チューブ型の熱交換器であって、長方形板状に形成されたアルミニウム製の多数のフィン１３と、このフィン１３を貫通する銅製の伝熱管１５とを備えている。各フィン１３および伝熱管１５の外表面には、第１・第２熱交換器３，５を通過する空気に含まれる水分を吸着させる吸着剤がディップ成形（浸漬成形）等によって担持されている。
【００２９】
この吸着剤としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料等を使用することができる。
なお、上記第１・第２熱交換器３，５は、第１熱交換器３が凝縮器、第２熱交換器５が蒸発器として機能する第１の状態と、第１熱交換器３が蒸発器、第２熱交換器５が凝縮器として機能する第２の状態とが、後述する制御部８０によって交互に切り換えられる、いわゆるバッチ式制御が行われる。また、第１の状態においては、第１熱交換器３が凝縮器として機能する際に吸着剤から水分を脱離させる吸着剤の再生動作、第２熱交換器５が蒸発器として機能する際に吸着剤に水分を吸着させる吸着動作が行われる。一方、第２の状態においては、第１熱交換器３が蒸発器として機能する際に吸着剤に水分を吸着させる吸着動作、第２熱交換器５が凝縮器として機能する際に吸着剤から水分を脱離させる吸着剤の再生動作が行われる。このように、第１熱交換器３と第２熱交換器５とにおいて、交互に吸着動作と再生動作とを繰り返すとともに、各熱交換器３，５を通過して室内外へ供給される空気の流路を切り換えることで、吸着剤における水分の吸着と放出（脱離）とを継続して行うことができる。よって、除湿性能あるいは加湿性能を維持しつつ各種運転を安定して行うことができる。
【００３０】
また、第１熱交換器３および第２熱交換器５は、例えば冷房除湿運転を行う場合において、蒸発器として機能する際に、熱交換器３，５を流れる冷媒と熱交換器３，５を通過する空気との間で熱交換を行って顕熱負荷を処理する。そして、熱交換器３，５の表面に担持された吸着剤により熱交換器３，５を通過する空気に含まれる水分を吸着して潜熱処理を行う。これにより、第１の状態または第２の状態において、２つの熱交換器３，５を用いて交互に吸着動作と再生動作とを行うことで、吸着剤による吸着力を低下させることなく、安定した状態で顕熱処理および潜熱処理の双方を行うことができる。
【００３１】
サーミスタ３ａは、第１熱交換器３に取り付けられており、第１熱交換器３が凝縮器として機能する第１の状態と蒸発器として機能する第２の状態とにおいて、第１熱交換器３の表面温度（冷媒温度）を測定する。
湿度センサ３ｂは、後述する空気流路切換機構（空気流路切換部）９１における空気の流路の切り換えに応じて、第１熱交換器３を通過する前、あるいは通過した後の空気の湿度を測定する。
【００３２】
温湿度センサ４は、熱交換器３，５を通過する前あるいは後における空気の温度と湿度とを測定する。
サーミスタ５ａは、第２熱交換器５に取り付けられており、第２熱交換器５が蒸発器として機能する第１の状態と凝縮器として機能する第２の状態とにおいて、第２熱交換器５の表面温度（冷媒温度）を測定する。
【００３３】
湿度センサ５ｂは、空気流路切換機構９１における空気の流路の切り換えに応じて、第２熱交換器５を通過する前、あるいは通過した後の空気の湿度を測定する。
そして、制御部８０が、温湿度センサ４、湿度センサ３ｂ，５ｂにおける湿度測定結果に基づいて、ドレン水の発生を予測する。
第１ファン７９は、第１吹出口２３の位置に対応して取り付けられており、ケーシング１７の内部から外部に向かって空気を送り出す。
【００３４】
第２ファン７７は、第２吹出口２５の位置に対応して取り付けられており、ケーシング１７の内部から外部に向かって空気を送り出す。そして、第１・第２ファン７７，７９は、後述する第１吸込口１９、第２吸込口２１、第１吹出口２３、第２吹出口２５を介して、空気調和機１０における空気流路を形成する。
ケーシング１７は、略直方体形状の箱であって、後述する冷媒回路１が収納されている。ケーシング１７の左側面板１７ａには、室外空気ＯＡを取り入れる第１吸込口１９と、リターン空気である室内空気ＲＡを取り入れる第２吸込口２１とが形成されている。一方、ケーシング１７の右側面板１７ｂには、排出空気ＥＡを室外に排出する第１吹出口２３と、調湿空気ＳＡを室内に供給する第２吹出口２５とが形成されている。また、ケーシング１７の内部には、ケーシング１７の内部を仕切る仕切部材として仕切板２７が設けられている。そして、ケーシング１７は、この仕切板２７によって形成された空気室２９ａと機器室２９ｂとを有している。
【００３５】
仕切板２７は、図１に示すように、ケーシング１７の下端である正面板１７ｃから上端である背面板１７ｄまで設けられているとともに、ケーシング１７の中央部よりやや右側に配置されている。さらに、仕切板２７は、ケーシング１７の厚さ方向である垂直方向に設けられており、図２および図３に示すように、ケーシング１７の上端である上面板１７ｅから下端である下面板１７ｆまで設けられている。
【００３６】
空気室２９ａには、仕切部材として、第１端面板３３と第２端面板３１と中央の区画板６７とが設けられている。第１端面板３３と第２端面板３１とは、図１に示すように、ケーシング１７の左側面板１７ａから仕切板２７まで設けられている。また、第１端面板３３は、図１に示すように、ケーシング１７の中央部よりやや上側に配置され、第２端面板３１は、図１に示すように、ケーシング１７の中央部よりやや下側に配置されている。また、第１端面板３３と第２端面板３１とは、図２および図３に示すように、ケーシング１７の上面板１７ｅから下面板１７ｆまで設けられている。区画板６７は、図１に示すように、第１端面板３３から第２端面板３１まで設けられている。
【００３７】
機器室２９ｂには、冷媒回路１を構成する部材のうち、第１，第２熱交換器３，５を除く圧縮機７等が収納されているとともに、第１ファン７９と第２ファン７７とが収納されている。
さらに、ケーシング１７は、空気室２９ａに、第１端面板３３と第２端面板３１と区画板６７と仕切板２７とによって形成された第１熱交換室６９と、第１端面板３３と第２端面板３１と区画板６７と左側面板１７ａとによって形成された第２熱交換室７３とを有している。
【００３８】
第１熱交換室６９には、第１熱交換器３が配置され、第２熱交換室７３には、第２熱交換器５が配置されている。
第１端面板３３と背面板１７ｄとの間には、仕切部材である水平板６１が設けられて第１流入路６３と第１流出路６５とが形成されている。また、第２端面板３１と正面板１７ｃとの間には、仕切部材である水平板５５が設けられて第２流入路５７と第２流出路５９とが形成されている。
【００３９】
水平板６１，５５は、ケーシング１７の内部空間を仕切っており、図２に示すように、第１流入路６３が上面側に、第１流出路６５が下面側に形成され、図３に示すように、第２流入路５７が上面側に、第２流出路５９が下面側に形成されている。つまり、第１流入路６３と第１流出路６５とは、第１熱交換室６９および第２熱交換室７３の各一面が連続する厚さ方向の一端面に沿って形成され、かつ第１熱交換室６９および第２熱交換室７３の厚さ方向に重畳して配置されている。
【００４０】
また、第２流入路５７と第２流出路５９とは、第１熱交換室６９および第２熱交換室７３の各一面が連続する端面で一端面に対向する対向面に沿って形成され、かつ第１熱交換室６９および第２熱交換室７３の厚さ方向に重畳して配置されている。
そして、第１流入路６３および第１流出路６５と第２流入路５７および第２流出路５９とは、図１に示すように上下対称に配置され、つまり、第１熱交換室６９および第２熱交換室７３を横断する中央線を基準として面対称に配置されている。
【００４１】
さらに、第１流入路６３は、第１吸込口１９に連通し、第１流出路６５は、第１ファン７９を介して第１吹出口２３に連通している。また、第２流入路５７は、第２吸込口２１に連通し、第２流出路５９は、第２ファン７７を介して第２吹出口２５に連通している。
第１端面板３３には、図２に示すように、４つの開口３３ａ〜３３ｄが形成されている。各開口３３ａ〜３３ｄには、第１ダンパ４７、第２ダンパ４８、第３ダンパ４９および第４ダンパ５０（空気流路切換部）が設けられている。４つの開口３３ａ〜３３ｄは、行列方向に近接して配置されており、つまり、上下左右に２つずつ升目状に配置され、第１の開口３３ａと第３の開口３３ｃとが第１熱交換室６９の内部に形成され、第２の開口３３ｂと第４の開口３３ｄとが第２熱交換室７３の内部に形成されている。
【００４２】
第１の開口３３ａは、第１流入路６３と第１熱交換室６９とを連通させ、第３の開口３３ｃは、第１流出路６５と第１熱交換室６９とを連通させている。また、第２の開口３３ｂは、第１流入路６３と第２熱交換室７３とを連通させ、第４の開口３３ｄは、第１流出路６５と第２熱交換室７３とを連通させている。
第２端面板３１には、図３に示すように、４つの開口３１ａ〜３１ｄが形成されている。各開口３１ａ〜３１ｄには、第５ダンパ３５、第６ダンパ３６、第７ダンパ３７および第８ダンパ３８（空気流路切換部）が設けられている。４つの開口３１ａ〜３１ｄは、行列方向に近接して配置されている。つまり、４つの開口３１ａ〜３１ｄは、上下左右に２つずつ升目状に配置されている。そして、第５の開口３１ａと第７の開口３１ｃとが第１熱交換室６９の内部に形成され、第６の開口３１ｂと第８の開口３１ｄとが第２熱交換室７３の内部に形成されている。
【００４３】
第５の開口３１ａは、第２流入路５７と第１熱交換室６９とを連通させ、第７の開口３１ｃは、第２流出路５９と第１熱交換室６９とを連通させている。また、第６の開口３１ｂは、第２流入路５７と第２熱交換室７３とを連通させ、第８の開口３１ｄは、第２流出路５９と第２熱交換室７３とを連通させている。
また、第１〜第８ダンパ４７〜５０，３５〜３８は、開口３３ａ〜３３ｄおよび開口３１ａ〜３１ｄを開閉する図示しない開閉手段（空気流路切換機構（空気流路切換部）９１）を有しており、この開閉手段を用いて、上述した第１の状態と第２の状態との切り換え時に空気の流路を変更する。
【００４４】
本実施形態の空気調和機１０は、内部に、図１１に示す制御部８０を備えている。そして、制御部８０は、除湿運転と加湿運転とを切り換え可能に制御する。また、制御部８０は、図１１に示すように、温湿度センサ４、湿度センサ３ｂ，５ｂ、水位センサ（ドレン水認識部）８１、空気流路切換機構９１、四路切換弁（冷媒流路切換部）９、膨張弁１１と接続されている。
【００４５】
温湿度センサ４、湿度センサ３ｂ，５ｂについては、上述した通りである。
水位センサ８１は、図１２に示すように、第１熱交換器３および第２熱交換器５の直下において、第１熱交換器３、第２熱交換器５が蒸発器として機能する際に発生する可能性があるドレン水Ｗを溜めるドレンパン８３の底面に取り付けられたフロート式の水位センサである。また、水位センサ８１は、本体部８１ａ、ステム８１ｂ、フロート８１ｃを備えている。本体部８１ａは、フロート８１ｃが所定位置になったときに検出信号を発生するリミットスイッチ（図示せず）を内部に備えている。ステム８１ｂは、本体部８１ａから下向きに伸びる円柱状の部材である。フロート８１ｃは、ステム８１ｂに対して上下方向に摺動可能に取り付けられており、内部が中空のドーナツ型の部材である。実際に発生したドレン水Ｗの検知は、図１２に示すように、ドレンパン８３にドレン水Ｗが溜まってきてステム８１ｂに沿って所定の高さまで上昇したフロート８１ｃをリミットスイッチが検知することで行われる。
【００４６】
ドレンパン８３は、第１，第２熱交換器３，５の直下において、第１熱交換器３、第２熱交換器５がそれぞれ蒸発器として機能する際に発生する可能性があるドレン水Ｗを溜めるための受け皿となる部材である。なお、本実施形態の空気調和機１０では、水位センサ８１がドレン水の発生を検知すると、制御部８０が後述する乾燥運転に切り換えられて、ドレン水の発生を抑制する制御を行うとともに、すでに発生しているドレン水の蒸発を促進する制御を行うことから、ドレンパン８３は水位センサ８１のフロート８１ｃが納まる程度の大きさであればよい。なお、本実施形態における乾燥運転とは、その後のドレン水の発生を抑制する運転と、すでに発生したドレン水の蒸発を促す運転の双方を含むものとする。
【００４７】
空気流路切換機構９１は、第１〜第４ダンパ３５〜３８および第５〜第８ダンパ４７〜５０が備えている切換手段であって、制御部８０からの指示によって空気流路を切り換える。
四路切換弁９は、後述する冷媒回路１において冷媒の流路を切り換える。なお、四路切換弁９については、冷媒回路１について説明する後段にて詳述する。
【００４８】
膨張弁１１は、後述する冷媒回路１において冷媒の圧力を調整する。
また、制御部８０は、空気調和機１０が除湿運転を行う場合には、第１熱交換器３および第２熱交換器５を交互に蒸発器として機能させ、この第１熱交換器３または第２熱交換器５を介して空気調和機１０内を流れる空気に含まれる水分を吸着剤で吸着させる。一方、第２熱交換器５または第１熱交換器３を凝縮器として機能させ、凝縮熱により、この第２熱交換器５または第１熱交換器３を介して空気調和機１０内を流れる空気に対して吸着剤において吸着した水分を放出して吸着剤を再生させる。そして、吸着剤によって除湿された空気を室内に供給し、かつ吸着剤から水分が放出された空気を室外に供給するように冷媒回路１の冷媒循環および第１〜第８ダンパ４７〜５０，３５〜３８によって空気流路を切り換える。
【００４９】
制御部８０は、加湿運転を行う場合には、蒸発器として機能する第１熱交換器３または第２熱交換器５を介して空気調和機１０内を流れる空気に含まれる水分を吸着剤で吸着する。一方、凝縮器として機能する第２熱交換器５または第１熱交換器３を介して空気調和機１０内を流れる空気に対して吸着剤において吸着した水分を放出して吸着剤を再生する。そして、吸着剤から水分が放出されて加湿された空気を室内に供給するように冷媒回路１の冷媒循環およびダンパ４７〜５０，３５〜３８による空気流通を切り換える。
【００５０】
具体的には、制御部８０は、全換気モードにおいて冷房除湿運転を行う場合には、室外空気を取り込み、蒸発器として機能する第１熱交換器３または第２熱交換器５の表面に担持された吸着剤において室外空気の水分を吸着し、室外空気を除湿空気にして室内に供給する。一方、室内空気を取り込み、凝縮器として機能する第２熱交換器５または第１熱交換器３の表面に担持された吸着剤から水分を放出させて吸着剤を再生し、加湿空気を室外へ放出する。
【００５１】
また、制御部８０は、循環モードにおいて冷房除湿運転を行う場合には、室内空気を取り込み、蒸発器として機能する第１熱交換器３または第２熱交換器５の表面に担持された吸着剤において室内空気の水分を吸着し、除湿した空気を室内に供給する。一方、室外空気を取り込み、凝縮器として機能する第２熱交換器５または第１熱交換器３の表面に担持された吸着剤から水分を放出させて吸着剤を再生し、加湿空気を室外へ放出することで除湿運転を行う。
【００５２】
一方、制御部８０は、全換気モードにおいて暖房加湿運転を行う場合には、室内空気を取り込み、蒸発器として機能する第１熱交換器３または第２熱交換器５の表面に担持された吸着剤において取り込まれた空気に含まれる水分を吸着し、除湿された空気を室外に排出する。一方、室外空気を取り込み、凝縮器として機能する第２熱交換器５または第１熱交換器３の表面に担持された吸着剤から水分を放出させて吸着剤を再生し、加湿された空気を室内に供給する。
【００５３】
また、制御部８０は、循環モードにおいて暖房加湿運転を行う場合には、室外空気を取り込み、蒸発器として機能する第１熱交換器３または第２熱交換器５の表面に担持された吸着剤において取り込まれた空気に含まれる水分を吸着し、除湿された空気を屋外へ放出する。一方、室内空気を取り込み、凝縮器として機能する第２熱交換器５または第１熱交換器３の表面に担持された吸着剤から水分を放出して吸着剤を再生し、加湿された空気を屋内へ放出する。
【００５４】
〔冷媒回路の構成〕
冷媒回路１は、図５に示すように、圧縮機７と、四路切換弁９と、第１熱交換器３と、膨張弁１１と、第２熱交換器５とがこの順に冷媒配管を介して接続された閉回路として形成されている。さらに、冷媒回路１には冷媒が充填されており、この冷媒が冷媒回路１を循環して蒸気圧縮式の冷凍サイクルを形成している。
【００５５】
第１熱交換器３は、その一端が四路切換弁９に接続されており、他端は膨張弁１１を介して第２熱交換器５の一端に接続されている。
第２熱交換器５は、一端が膨張弁１１を介して第１熱交換器３に接続されており、他端が四路切換弁９に接続されている。
四路切換弁９は、冷媒の流路切換手段であって、図６（ａ）に示すように、第１のポートと第３のポートとが連通すると同時に第２のポートと第４のポートとが連通する状態と、図６（ｂ）に示すように、第１のポートと第４のポートとが連通すると同時に第２のポートと第３のポートとが連通する状態とに切り換え可能である。そして、この四路切換弁９の切り換えにより冷媒回路における冷媒の流路を変更して、第１熱交換器３が凝縮器として機能すると同時に第２熱交換器５が蒸発器として機能する第１の状態と、第１熱交換器３が蒸発器として機能すると同時に第２熱交換器５が凝縮器として機能する第２の状態とを切り換えを行うことができる。
【００５６】
〔運転動作〕
次に、上述した空気調和機１０の運転動作について説明する。空気調和機１０は、第１空気と第２空気とを取り込み、除湿運転と加湿運転とを切り換えて行う。また、空気調和機は、第１の状態と第２の状態とを交互に繰り返すことにより、除湿運転および加湿運転を連続的に行う。また、空気調和機１０は、全換気モードの除湿運転および加湿運転と、循環モードの除湿運転および加湿運転とを行う。以下で、各運転モードにおける制御内容について詳しく説明する。
【００５７】
−全換気モードの冷房除湿運転−
空気調和機１０において全換気モードの冷房除湿運転を行う場合には、制御部８０は、室外空気ＯＡとして取り込んだ第１空気を空調空気ＳＡとして室内に供給する一方、室内空気ＲＡとして取り込んだ第２空気を排出空気ＥＡとして室外に排出するように各部を制御する。
【００５８】
《第１動作》
第１ファン７９および第２ファン７７を駆動した第１動作では、第２熱交換器５において吸着動作、第１熱交換器３において再生（脱離）動作が行われる。つまり、第１動作では、図６（ａ）および図７に示すように、第２熱交換器５に第１空気として取り込んだ室外空気ＯＡ中の水分が吸着され、第１熱交換器３の表面に担持された吸着剤から脱離した水分が第２空気に付与される。
【００５９】
また、四路切換弁９は、図６（ａ）に示すように、第１ポートと第３ポートとが接続され、第２ポートと第４ポートとが接続された状態に切り換えられる。その結果、冷媒回路１の第１熱交換器３が凝縮器として機能し、第２熱交換器５が蒸発器として機能する。
つまり、圧縮機７から吐出された高温高圧の冷媒は、加熱用の熱媒体として第１熱交換器３に流れる。この第１熱交換器３において、冷媒によってフィン１３および伝熱管１５の外表面に担持された吸着剤が加熱されて、吸着剤から水分が脱離して吸着剤が再生される。
【００６０】
一方、第１熱交換器３において凝縮した冷媒は、膨張弁１１で減圧される。減圧後の冷媒は、冷却用の熱媒体として第２熱交換器５に流れる。第２熱交換器５においては、フィン１３および伝熱管１５の外表面に担持された吸着剤が水分を吸着する際に吸着熱が発生する。第２熱交換器５の冷媒は、この吸着熱を吸熱して蒸発する。蒸発した冷媒は、圧縮機７に戻り、循環が繰り返される。
【００６１】
また、第１ファン７９および第２ファン７７の駆動により、第２吸込口２１より第２空気として流入した室内空気ＲＡは、第２流入路５７を流れ、第５の開口３１ａから第１熱交換室６９に流れる。この第１熱交換室６９において、第２空気は、第１熱交換器３の吸着剤より脱離した水分が放出されて加湿される。この加湿された第２空気は、第１熱交換室６９から第３の開口３３ｃを経て第１流出路６５を流れ、第１ファン７９を経て第１吹出口２３から排出空気ＥＡとして室外に排出される。
【００６２】
一方、第１吸込口１９より流入した室外空気ＯＡは、第１空気として第１流入路６３を流れ、第２の開口３３ｂから第２熱交換室７３に流れる。この第２熱交換室７３において、第１空気は、水分が第２熱交換器５の吸着剤に吸着されて除湿される。さらに、第１空気は、第２熱交換器５における冷媒の蒸発熱によって顕熱を奪われる。このように冷房除湿された第１空気は、第２熱交換室７３から第８の開口３１ｄを経て第２流出路５９を流れ、第２ファン７７を経て第２吹出口２５から、空調空気ＳＡとして室内に供給される。
【００６３】
この第１動作を所定のバッチ切換時間が経過するまで行った後、第２動作を行う。
《第２動作》
第１ファン７９および第２ファン７７を駆動した第２動作では、図６（ｂ）に示すように、第１熱交換器３での吸着動作と、第２熱交換器５での再生動作とが行われる。つまり、第２動作では、図６（ｂ）および図８に示すように、第１熱交換器３に第１空気として取り込まれた室外空気ＯＡ中の水分が吸着され、第２熱交換器５の表面に担持された吸着剤から脱離した水分が第１空気に付与されて、室内空気ＳＡとして室内に供給される。
【００６４】
また、四路切換弁９は、図６（ｂ）に示すように、第１ポートと第４ポートとが接続され、第２ポートと第３ポートとが接続された状態に切り換えられる。その結果、冷媒回路１では、第２熱交換器５が凝縮器として機能し、第１熱交換器３が蒸発器として機能する。
つまり、圧縮機７から吐出された高温高圧の冷媒は、加熱用の熱媒体として第２熱交換器５に流れる。この第２熱交換器５において、冷媒によってフィン１３および伝熱管１５の外表面に担持された吸着剤が加熱されて吸着剤から水分が脱離して吸着剤が再生される。
【００６５】
一方、第２熱交換器５で凝縮した冷媒は、膨張弁１１で減圧される。減圧後の冷媒は、冷却用の熱媒体として第１熱交換器３に流れる。この第１熱交換器３において、フィン１３および伝熱管１５の外表面に担持された吸着剤が水分を吸着する際に吸着熱が発生する。第１熱交換器３の冷媒は、この吸着熱を吸熱して蒸発する。蒸発した冷媒は、圧縮機７に戻り、冷媒はこの循環を繰り返す。
【００６６】
また、第１ファン７９および第２ファン７７の駆動により、第２吸込口２１より室内空気ＲＡとして流入した第２空気は、第２流入路５７を流れ、第６の開口３１ｂから第２熱交換室７３に流れる。この第２熱交換室７３において、第２空気は、第２熱交換器５の吸着剤より脱離した水分が放出されて加湿される。この加湿された第２空気は、第２熱交換室７３から第４の開口３３ｄを経て第１流出路６５を流れ、第１ファン７９を経て第１吹出口２３から、排出空気ＥＡとして室外に排出される。
【００６７】
一方、第１吸込口１９より室外空気ＯＡとして流入した第１空気は、第１流入路６３を流れ、第１の開口３３ａから第１熱交換室６９に流れる。この第１熱交換室６９において、第１空気は、水分が第１熱交換器３の吸着剤に吸着されて除湿される。さらに、第１空気は、第１熱交換器３における冷媒の蒸発熱によって顕熱を奪われる。このように冷房除湿された第１空気は、第１熱交換室６９から第７の開口３１ｃを経て第２流出路５９を流れ、第２ファン７７を経て第２吹出口２５から、空調空気ＳＡとして室内に供給される。
【００６８】
この第２動作を所定のバッチ切換時間が経過するまで行った後、再び第１動作を行う。そして、この第１動作と第２動作とを所定のバッチ切換時間が経過する毎に繰り返すことで室内空間における除湿を連続的に行う。
−全換気モードの暖房加湿運転−
空気調和機１０において全換気モードの暖房加湿運転を行う場合には、制御部８０が、室内空気ＲＡとして取り込んだ第１空気を室外空気ＥＡとして室外に排出し、室外空気ＯＡとして取り込んだ第２空気を室内空気ＳＡとして室内に供給するように各部を制御する。
【００６９】
《第１動作》
第１ファン７９および第２ファン７７を駆動した第１動作では、第２熱交換器５での吸着動作と、第１熱交換器３での再生動作とが行われる。つまり、第１動作では、図６（ａ）および図９に示すように、第２熱交換器５に第１空気として取り込まれた室内空気ＲＡ中の水分が吸着され、第１熱交換器３の表面に担持された吸着剤から脱離した水分がＯＡとして取り込まれた第２空気に付与される。
【００７０】
また、四路切換弁９は、図６（ａ）に示すように、第１ポートと第３ポートとが接続され、第２ポートと第４ポートとが接続された状態に切り換えられる。その結果、冷媒回路１の第１熱交換器３が凝縮器として機能し、第２熱交換器５が蒸発器として機能する。
つまり、圧縮機７から吐出された高温高圧の冷媒は、加熱用の熱媒体として第１熱交換器３に流れる。この第１熱交換器３において、冷媒によってフィン１３および伝熱管１５の外表面に担持された吸着剤が加熱されて吸着剤から水分が脱離して吸着剤が再生される。
【００７１】
一方、第１熱交換器３において凝縮した冷媒は、膨張弁１１で減圧される。減圧後の冷媒は、冷却用の熱媒体として第２熱交換器５に流れる。この第２熱交換器５において、フィン１３および伝熱管１５の外表面に担持された吸着剤が水分を吸着する際に吸着熱が発生する。第２熱交換器５の冷媒は、この吸着熱を吸熱して蒸発する。蒸発した冷媒は、圧縮機７に戻り、冷媒はこの循環を繰り返す。
【００７２】
また、第１ファン７９および第２ファン７７の駆動により、第２吸込口２１より室内空気ＲＡとして流入した第１空気は、第２流入路５７を流れ、第６の開口３１ｂから第２熱交換室７３に流れる。この第２熱交換室７３において、第１空気に含まれる水分が第２熱交換器５の吸着剤に吸着されて除湿される。この除湿された第１空気は、排出空気ＥＡとなり、第２熱交換室７３から第４の開口３３ｄを経て第１流出路６５を流れ、第１ファン７９を経て第１吹出口２３より室外に排出される。
【００７３】
一方、第１吸込口１９より室外空気ＯＡとして流入した第２空気は、第１流入路６３を流れ、第１の開口３３ａから第１熱交換室６９に流れる。第２空気は、この第１熱交換室６９において、第１熱交換器３の吸着剤より脱離した水分が放出されて加湿される。さらに、第２空気は、第１熱交換器３における冷媒の凝縮熱によって顕熱を与えられる。このように暖房加湿された第２空気は、第１熱交換室６９から第７の開口３１ｃを経て第２流出路５９を流れ、第２ファン７７を経て第２吹出口２５から調湿空気ＳＡとして室内に供給される。
【００７４】
この第１動作を所定のバッチ切換時間が経過するまで行った後、第２動作を行う。
《第２動作》
第１ファン７９および第２ファン７７を駆動した第２動作では、第１熱交換器３での吸着動作と、第２熱交換器５での再生動作とが行われる。つまり、第２動作では、図６（ｂ）および図１０に示すように、第１熱交換器３に室内空気ＲＡとして取り込まれた第１空気中の水分が吸着され、第２熱交換器５から脱離した水分が室外空気ＯＡとして取り込まれた第２空気に付与される。
【００７５】
また、上記四路切換弁９は、図６（ｂ）に示すように、第１ポートと第４ポートとが接続され、第２ポートと第３ポートとが接続された状態に切り換えられる。その結果、冷媒回路１では、第２熱交換器５が凝縮器として機能し、第１熱交換器３が蒸発器として機能する。
つまり、圧縮機７から吐出された高温高圧の冷媒は、加熱用の熱媒体として第２熱交換器５に流れる。この第２熱交換器５において、冷媒によってフィン１３および伝熱管１５の外表面に担持された吸着剤が加熱されて吸着剤から水分が脱離して吸着剤が再生される。
【００７６】
一方、上記第２熱交換器５で凝縮した冷媒は、膨張弁１１で減圧される。減圧後の冷媒は、冷却用の熱媒体として第１熱交換器３に流れる。この第１熱交換器３において、フィン１３および伝熱管１５の外表面に担持された吸着剤が水分を吸着する際に吸着熱が発生する。第１熱交換器３の冷媒は、この吸着熱を吸熱して蒸発する。蒸発した冷媒は、圧縮機７に戻り、冷媒はこの循環を繰り返す。
【００７７】
また、第１ファン７９および第２ファン７７の駆動により、第２吸込口２１より室内空気ＲＡとして流入した第１空気は、第２流入路５７を流れ、第５の開口３１ａから第１熱交換室６９に流れる。この第１熱交換室６９において、第１空気に含まれる水分が第１熱交換器３の吸着剤に吸着されて除湿される。さらに、第１空気は、第１熱交換器３における冷媒の蒸発熱によって顕熱を奪われる。このように、冷房除湿された第１空気は、第１熱交換室６９から第３の開口３３ｃを経て第１流出路６５を流れ、第１ファン７９を経て第１吹出口２３から排出空気ＥＡとして室内に排出される。
【００７８】
一方、第１吸込口１９より室外空気ＯＡとして流入した第２空気は、第１流入路６３を流れ、第２の開口３３ｂから第２熱交換室７３に流れる。第２空気には、第２熱交換室７３において、第２熱交換器５の吸着剤より脱離した水分が放出されて加湿される。この加湿された第２空気は、第２熱交換室７３から第８の開口３１ｄを経て第２流出路５９を流れ、第２ファン７７を経て第２吹出口２５から調湿空気ＳＡとして室外に供給される。
【００７９】
この第２動作を所定のバッチ切換時間が経過するまで行った後、再び第１動作を行う。そして、この第１動作と第２動作とを所定のバッチ切換時間が経過する毎に繰り返して室内空間に対して加湿を連続的に行う。
−循環モードの冷房除湿運転−
空気調和機１０において循環モードの冷房除湿運転を行う場合には、制御部８０が、室内空気ＲＡを取り込んで第１空気として室内に供給する一方、室外空気ＯＡを第２空気として取り込み室外に排出するように各部を制御する。なお、冷媒回路１の冷媒循環については、上述した全換気モードと同様である。
【００８０】
《第１動作》
第１動作では、第２熱交換器５での吸着動作と、第１熱交換器３での再生（脱離）動作とが行われる。つまり、第１動作では、第２熱交換器５に室内空気ＲＡとして取り込まれた第１空気中の水分が吸着され、第１熱交換器３の表面に担持された吸着剤から脱離した水分が室外空気ＯＡとして取り込まれた第２空気に付与される。
【００８１】
第１吸込口１９より室外空気ＯＡとして流入した第２空気は、第１流入路６３を流れ、第１の開口３３ａから第１熱交換室６９に流れる。この第１熱交換室６９において、第２空気は、第１熱交換器３の吸着剤より脱離した水分が放出されて加湿される。この加湿された第２空気は、第１熱交換室６９から第３の開口３３ｃを経て第１流出路６５を流れ、第１ファン７９を経て第１吹出口２３から、排出空気ＥＡとして室外に排出される。
【００８２】
一方、第２吸込口２１より室内空気ＲＡとして流入した第１空気は、第２流入路５７を流れ、第６の開口３１ｂから第２熱交換室７３に流れる。この第２熱交換室７３において、第２空気に含まれる水分が第２熱交換器５の吸着剤に吸着されて除湿される。さらに、第２空気は、第２熱交換器５において冷媒の蒸発熱によって顕熱を奪われる。このように冷房除湿された第２空気は、第２熱交換室７３から第８の開口３１ｄを経て第２流出路５９を流れ、第２ファン７７を経て第２吹出口２５から空調空気ＳＡとして室内に供給される。
【００８３】
この第１動作を所定のバッチ切換時間が経過するまで行った後、第２動作を行う。
《第２動作》
第２動作では、第１熱交換器３での吸着動作と、第２熱交換器５での再生動作とが行われる。つまり、第２動作では、第１熱交換器３に室内空気ＲＡとして取り込まれた第１空気中の水分が吸着され、第２熱交換器５の表面に担持された吸着剤から脱離した水分が第２空気に付与される。
【００８４】
第１吸込口１９より室外空気ＯＡとして流入した第２空気は、第１流入路６３を流れ、第２の開口３３ｂから第２熱交換室７３に流れる。この第２熱交換室７３において、第２空気は、第２熱交換器５の吸着剤より脱離した水分が放出されて加湿される。この加湿された第２空気は、第２熱交換室７３から第４の開口３３ｄを経て第１流出路６５を流れ、第１ファン７９を経て第１吹出口２３から排出空気ＥＡとして室外に排出される。
【００８５】
一方、第２吸込口２１より室内空気ＲＡとして流入した第１空気は、第２流入路５７を流れ、第５の開口３１ａから第１熱交換室６９に流れる。この第１熱交換室６９において、第１空気に含まれる水分が第１熱交換器３の吸着剤に吸着されて除湿される。さらに、第１空気は、第２熱交換器５において冷媒の蒸発熱によって顕熱を奪われる。このように、冷房除湿された第１空気は、第１熱交換室６９から第７の開口３１ｃを経て第２流出路５９を流れ、第２ファン７７を経て第２吹出口２５から空調空気ＳＡとして室内に供給される。
【００８６】
この第２動作を所定のバッチ切換時間が経過するまで行った後、再び第１動作を行う。そして、この第１動作と第２動作とを所定のバッチ切換時間が経過する毎に繰り返して室内空間における除湿を連続的に行う。
−循環モードの暖房加湿運転−
空気調和機１０において循環モードの暖房加湿運転を行う場合には、制御部８０が、室外空気ＯＡとして取り込んだ第１空気を室外に排出し、室内空気ＲＡとして取り込んだ第２空気を室内に供給するように各部を制御する。なお、冷媒回路１の冷媒循環については、上述した全換気モードと同様である。
【００８７】
《第１動作》
第１動作では、第２熱交換器５での吸着動作と、第１熱交換器３での再生動作とが行われる。つまり、第１動作では、第２熱交換器５に室外空気ＯＡとして取り込んだ第１空気中の水分が吸着され、第１熱交換器３の表面に担持された吸着剤から脱離した水分が室内空気ＲＡとして取り込んだ第２空気に付与される。
【００８８】
第２吸込口２１より室内空気ＲＡとして流入した第２空気は、第２流入路５７を流れ、第５の開口３１ａから第１熱交換室６９に流れる。この第１熱交換室６９において、第２空気は、第１熱交換器３の吸着剤より脱離した水分が放出されて加湿される。さらに、第２空気は、第１熱交換器３において冷媒の凝縮熱によって顕熱を与えられる。このように暖房加湿された第２空気は、第１熱交換室６９から第７の開口３１ｃを経て第２流出路５９を流れ、第２ファン７７を経て第２吹出口２５より室内に供給される。
【００８９】
一方、第１吸込口１９より室外空気ＯＡとして流入した第１空気は、第１流入路６３を流れ、第２の開口３３ｂから第２熱交換室７３に流れる。この第２熱交換室７３において、第１空気に含まれる水分が第２熱交換器５の吸着剤に吸着されて除湿される。この除湿された第１空気は、第２熱交換室７３から第４の開口３３ｄを経て第１流出路６５を流れ、第１ファン７９を経て第１吹出口２３から排出空気ＥＡとして室外に排出される。
【００９０】
この第１動作を所定のバッチ切換時間が経過するまで行った後、第２動作を行う。
《第２動作》
第２動作では、第１熱交換器３での吸着動作と、第２熱交換器５での再生動作とが行われる。つまり、第２動作では、第１熱交換器３に室外空気ＯＡとして取り込まれた第１空気中の水分が吸着され、第２熱交換器５の表面に担持された吸着剤から脱離した水分が室内空気ＲＡとして取り込まれた第２空気に付与される。
【００９１】
第２吸込口２１より室内空気ＲＡとして流入した第２空気は、第２流入路５７を流れ、第６の開口３１ｂから第２熱交換室７３に流れる。この第２熱交換室７３において、第２空気は、第２熱交換器５の吸着剤より脱離した水分が放出されて加湿される。さらに、第２空気は、第２熱交換器５において冷媒の凝縮熱によって顕熱を与えられる。このように
暖房加湿された第２空気は、第２熱交換室７３から第８の開口３１ｄを経て第２流出路５９を流れ、第２ファン７７を経て第２吹出口２５から調湿空気ＳＡとして室内に供給される。
【００９２】
一方、第１吸込口１９より室外空気ＯＡとして流入した第１空気は、第１流入路６３を流れ、第１の開口３３ａから第１熱交換室６９に流れる。この第１熱交換室６９において、第１空気に含まれる水分が第１熱交換器３の吸着剤に吸着されて除湿される。この除湿された第１空気は、第１熱交換室６９から第３の開口３３ｃを経て第１流出路６５を流れ、第１ファン７９を経て第１吹出口２３から排出空気ＥＡとして室外に排出される。
【００９３】
この第２動作を所定のバッチ切換時間が経過するまで行った後、再び第１動作を行う。そして、この第１動作と第２動作とを所定のバッチ切換時間が経過する毎に繰り返して室内空間に対する加湿を連続的に行う。
［乾燥運転制御］
本実施形態の空気調和機１０は、通常運転時には上述した各運転モードに従って各種運転を行う一方で、機内におけるドレン水の発生を予測、検知する手段（水位センサ８１、湿度センサ３ｂ，５ｂ等）を備えており、このドレン水予測検知手段によってドレン水の発生が予測、検知された場合には、図１１に示す制御部８０が図１４に示すフローチャートに従って乾燥運転を行う。
【００９４】
−ドレン水の発生を検知した場合の制御−
空気調和機１０は、上述のように、各熱交換器３，５の直下にそれぞれ配置されたドレンパン８３と、ドレンパン８３にドレン水Ｗが溜まってきたことを検知する水位センサ８１とを備えている（図１２参照）。
ここで、本実施形態の空気調和機１０におけるドレン水Ｗの発生について説明する。
【００９５】
空気調和機１０においては、上述したように表面に吸着剤が担持された２つの熱交換器３，５が交互に吸着動作と再生動作とを繰り返すことで、継続的に冷房除湿運転あるいは暖房加湿運転を行う。このとき、蒸発器として機能する熱交換器側においては、熱交換器３，５を通過する空気から水分が吸着剤に吸着されて除湿（潜熱処理）されるが、その空気の湿度に対してバッチ切換時間が長い場合等には吸着剤に吸着される水分量の限界を超えて熱交換器３，５の表面にドレン水が発生する場合がある。このように、蒸発器として機能する際の熱交換器３，５の表面に担持された吸着剤の吸着容量を越えて発生したドレン水Ｗは熱交換器３，５の表面をつたってその直下に配置されたドレンパン８３に溜まっていく。
【００９６】
また、冷媒回路１を流れる冷媒の蒸発温度が低すぎる場合にも、熱交換器３，５を通過する空気が露点温度以下に冷やされて熱交換器３，５の表面に結露することでドレン水が発生することがある。
制御部８０は、水位センサ８１がこのドレンパン８３に溜まったドレン水Ｗを検知すると、以下のような制御を行う。
【００９７】
すなわち、制御部８０は、ステップ（以下Ｓと示す）１の通常運転中に、Ｓ２においてドレン水Ｗの発生を検知すると、第１に、例えば、Ｓ４において、それ以降の運転におけるドレン水Ｗの発生を抑えるために、バッチ切換時間を短縮する制御を行う。これにより、熱交換器３，５が蒸発器として機能する１回あたりの時間を短くすることで、吸着剤が高い吸着力を維持したまま吸着動作を行うことができる。よって、例えば、吸着剤で吸着しきれずに熱交換器３，５において発生するドレン水Ｗの発生を抑えることができる。
【００９８】
また、それ以降の運転においてドレン水Ｗの発生を抑えるための他の制御方法として、Ｓ３において冷媒回路１を構成する圧縮機７の容量を落とす制御を行ってもよい。これにより、冷媒回路１に流れる冷媒の蒸発温度を空気の露点温度以上に上げて、蒸発器として機能する各熱交換器３，５の温度を上昇させる。この結果、蒸発器として機能する際の熱交換器３，５を空気が通過する際に結露してドレン水Ｗが発生することを防止できる。
【００９９】
また、それ以降の運転においてドレン水Ｗの発生を抑えるためのさらに他の制御方法として、Ｓ５において、バッチ切換時間の経過時において、冷媒流路の切り換えタイミングを空気流路の切り換えタイミングよりも早くするような制御を行ってもよい。これにより、冷媒回路１の熱容量を処理してから吸着剤において水分の吸着、水分の脱離（再生）が行われるため、熱交換器３，５を通過する空気に含まれる潜熱負荷の処理を継続しながら、空気を通過させることで、熱交換器３，５における結露の発生を抑えることができる。
【０１００】
ここで、水位センサ８１によるドレン水Ｗの検知は、すでにドレン水Ｗが発生してドレンパン８３に存在していることを示している。
本実施形態の空気調和機１０では、上述した検知後にさらなるドレン水の発生を抑える第１の制御とともに、第２の制御として、すでに発生したドレン水Ｗを消滅させるような制御も行うことができる。
【０１０１】
すなわち、このようなドレン水を消滅させる場合には、Ｓ６において、制御部８０が、バッチ切換時間を長くする制御を行う。これにより、空気流路切換時間が長くなることで、熱交換器を通過した空気に含まれる顕熱負荷を増加させて、すでに発生しているドレン水の蒸発を促進させることができる。また、冷媒流路切換時間が長くなることで、凝縮熱により顕熱負荷が増大して、すでに発生したドレン水の蒸発を促進することができる。この結果、熱交換器３，５およびドレンパン８３に発生したドレン水を消滅させることができる。
【０１０２】
すでに発生したドレン水を消滅させる他の制御方法として、ドレン水の発生を検知した場合には、Ｓ７において、制御部８０が一時的に上述した循環モードに運転を切り換える制御を行ってもよい。
これにより、空気の流路を切り換えて循環運転を行うことで、湿度の低い室内空気を蒸発器として機能する熱交換器３，５へ送り、湿度の高い外気を凝縮器として機能する熱交換器３，５へ送ることができる。この結果、蒸発器として機能する熱交換器３，５の表面に担持された吸着剤とすでに発生したドレン水を乾燥させることができる。よって、空気調和機におけるドレン水の発生を効果的に抑制するとともに、湿度の低い室内空気によってすでに発生しているドレン水の蒸発を促進することができる。
【０１０３】
また、すでに発生したドレン水を消滅させるようなさらに他の制御方法として、図１５に示すように、発生したドレン水を蒸発させるための熱を与えるヒータ（熱源）８６を備えており、ドレン水の発生を検知した場合には、Ｓ８において、制御部８０がヒータ８６の電源をＯＮする制御であってもよい。これにより、発生したドレン水に熱を与えて蒸発させることで、機内において発生したドレン水を消滅させることができる。なお、ヒータ８６の配置は、図１５に示すようにドレンパン８３の下側に限定されるものではなく、ドレンパンの上部からドレン水を直接加熱するように配置されていてもよい。また、ヒータ８６から直接ドレン水を加熱するのではなく、加熱した空気を熱風にしてドレン水に当てて乾燥させてもよい。
【０１０４】
そして、このような乾燥運転は、Ｓ９において、制御部が所定の条件（タイマ設定時間、所定の湿度に到達等）を満足したことを検知すると、Ｓ１０において通常運転へ切り換えられることで終了する。
−ドレン水の発生を予測した場合の制御−
空気調和機１０は、図１３に示すように、各熱交換器３，５を通過する前、あるいは通過した後の空気の温度、湿度を測定する温湿度センサ４、湿度センサ３ｂ，５ｂを備えている。
【０１０５】
本実施形態の空気調和機１０では、例えば、上記湿度センサ３ｂ，５ｂを用いて熱交換器３，５を通過した空気の湿度を計測し、制御部８０が、その計測結果が所定の値以上である場合やその高湿度の状態が一定時間以上継続した場合にドレン水の発生を予測する。
これにより、熱交換器３，５において実際にドレン水が発生する前にドレン水の発生を予測して、ドレン水の発生しにくい運転状態に切り換える制御を行うことができる。
【０１０６】
また、ドレン水の発生を予測する別の方法として、温湿度センサ４とサーミスタ３ａ，５ａとを用いてドレン水の発生を予測する方法を採用してもよい。
すなわち、本実施形態の空気調和機１０では、熱交換器３，５を通過する前の空気の温度と湿度とを計測する。そして、制御部８０が、温湿度センサ４による測定結果から露点温度を求め、その露点温度に補正値を加えた値が蒸発機として機能する熱交換器３，５に取り付けられたサーミスタ３ａ，５ａによって計測される温度よりも高い場合には、ドレン水の発生を予測する。
【０１０７】
この方法によっても、上記と同様に、熱交換器３，５において実際にドレン水が発生する前にドレン水の発生を予測して、ドレン水の発生しにくい運転状態に切り換える制御を行うことができる。
そして、制御部８０は、湿度センサ３ｂ，５ｂにおける計測結果に基づいてドレン水の発生を予測すると、以下のような制御を行う。
【０１０８】
すなわち、制御部８０は、Ｓ２においてドレン水発生を予測すると、それ以降の運転におけるドレン水の発生を抑えるために、Ｓ４においてバッチ切換時間を短縮する制御を行う。これにより、熱交換器３，５が蒸発器として機能する１回あたりの時間を短くすることで、吸着剤が高い吸着力を維持したまま吸着動作を行うことができるため、吸着剤で吸着しきれずに発生したドレン水の発生を抑えることができる。
【０１０９】
また、他の制御方法として、制御部８０は、Ｓ３において冷媒回路１を構成する圧縮機７の容量を落とす制御を行ってもよい。これにより、冷媒回路１に流れる冷媒の蒸発温度を空気の露点温度以上に上げて、蒸発器として機能する各熱交換器３，５の温度を上昇させることができる。この結果、蒸発器として機能する際の熱交換器３，５を空気が通過する際に結露してドレン水が発生することを防止できる。
【０１１０】
また、さらに他の制御方法として、制御部８０は、Ｓ５においてバッチ切換時間の経過時において、冷媒流路の切り換えタイミングを空気流路の切り換えタイミングよりも早くする制御を行ってもよい。これにより、冷媒回路１の熱容量を処理してから吸着剤において水分の吸着、水分の脱離（再生）が行われるため、熱交換器３，５を通過する空気に含まれる潜熱負荷の量を減らすことなく、空気を通過させることで、熱交換器３，５におけるドレン水の発生を抑えることができる。
【０１１１】
なお、乾燥運転の終了制御については、上記と同様に、Ｓ９において、制御部が所定の条件（タイマ設定時間、所定の湿度に到達等）を満足したことを検知すると、Ｓ１０において通常運転へ切り換えられることで終了する。
［本空気調和機の特徴］
（１）
本実施形態の空気調和機１０は、デシカント式の外調機であって、制御部８０が、ドレン水認識部として機能する水位センサ８１等を用いて、熱交換器３，５のうち、蒸発器とし機能する側におけるドレン水の発生を検知、あるいは湿度センサ３ｂ，５ｂ等を用いてドレン水の発生を予測すると、それ以降のドレン水の発生を抑制するための乾燥運転を行う。
【０１１２】
これにより、水位センサ８１等のドレン水認識部におけるドレン水の発生を検知、予測した後における空気調和機の室内機内におけるドレン水の発生を抑えることができる。この結果、例えば、ドレン配管の配管径を小さくしたり、ドレン配管を不要にしたりすることができ、ドレン配管の材料費や配管配設工事費用を削減してコストダウンを図ることができる。
【０１１３】
（２）
本実施形態の空気調和機１０は、ドレン水認識部として、水位センサ８１、湿度センサ３ｂ，５ｂ、温湿度センサ４等を備えている。
これにより、空気調和機１０の室内機内におけるドレン水の発生を検知あるいは予測することができる。
【０１１４】
（３）
本実施形態の空気調和機１０では、制御部８０が、ドレン水の発生を予測あるいは検知すると、冷媒回路１を構成する圧縮機７の容量を抑えて乾燥運転を行う。
これにより、冷媒回路１内を流れる冷媒の蒸発温度を上昇させて、例えば、熱交換器３，５を通過する空気の露点温度よりも上昇させることができる。この結果、ドレン水の発生予測、検知後において、蒸発器として機能する熱交換器３，５を通過する空気が熱交換器３，５において結露してドレン水が発生することを効果的に抑制することができる。
【０１１５】
（４）
本実施形態の空気調和機１０では、制御部８０が、２つの熱交換器３，５をそれぞれ凝縮器、蒸発器として機能させる第１の状態と、蒸発器、凝縮器として機能させる第２の状態とを所定のバッチ切換時間経過毎に交互に切り換えて、各熱交換器３，５の表面に担持された吸着剤における吸着動作、再生動作を繰り返し行わせる。そして、ドレン水の発生を予測、検知すると、バッチ切換時間を短縮して乾燥運転を行う。
【０１１６】
これにより、分を吸着し過ぎた状態になる前に吸着剤を再生するため、吸着剤が常に高い吸着力を保持した状態を維持することができるとともに、顕熱負荷の処理能力が低下する。この結果、潜熱負荷を効率よく処理することが可能になり、ドレン水の発生を効果的に抑制することができる。また、顕熱負荷があまり処理されていない状態の空気が熱交換器を通過することになるため、すでに発生したドレン水の乾燥を促進させることもできる。
【０１１７】
（５）
本実施形態の空気調和機１０では、上述のように、制御部８０が空気流路切換機構９１を制御して全換気モードと循環モードとを切り換える。そして、制御部８０は、ドレン水の発生を検知すると、一時的に循環モードに切り換えて乾燥運転を行う。
これにより、湿度の高い外気が蒸発器として機能する熱交換器３，５を通過することを防止し、かつ湿度の高い外気を凝縮器として機能する熱交換器３，５を通過させることで、ドレン水の発生を効果的に抑制することができる。さらに、蒸発器として機能する熱交換器３，５側には、比較的湿度の低い室内空気が通過するため、すでに発生したドレン水の乾燥を促進させることができる。
【０１１８】
（６）
本実施形態の空気調和機１０では、制御部８０が、２つの熱交換器３，５を凝縮器、蒸発器として機能させる第１の状態と、蒸発器、凝縮器として機能させる第２の状態とを所定のバッチ切換時間経過毎に交互に切り換えて、各熱交換器３，５の表面に担持された吸着剤における吸着動作、再生動作を繰り返し行わせる。さらに、制御部８０は、実際にドレン水が発生したことを検知すると、上記バッチ切換時間を検知等する前の運転よりも長くして乾燥運転を行う。
【０１１９】
これにより、空気流路切換時間が長くなることで、熱交換器３，５を通過した空気に含まれる顕熱の処理量が減少して空気に顕熱負荷が多く残され、ドレン水を蒸発させやすい状態にすることができる。また、冷媒流路切換時間が長くなることで、凝縮熱が増大してドレン水を蒸発させやすい状態にすることができる。この結果、ドレン水の発生を効果的に抑制することができる。
【０１２０】
（７）
本実施形態の空気調和機１０の制御方法では、上述のように、ドレン水認識部として機能する水位センサ８１等を用いて、吸着剤が表面に担持された熱交換器３，５のうち、蒸発器とし機能する側におけるドレン水の発生を検知、あるいは湿度センサ３ｂ，５ｂ等を用いてドレン水の発生を予測すると、それ以降のドレン水の発生を抑制するための乾燥運転を行う。
【０１２１】
これにより、水位センサ８１等のドレン水認識部におけるドレン水の発生を検知、予測した後における空気調和機の室内機内におけるドレン水の発生を抑えることができる。この結果、例えば、ドレン配管の配管径を小さくしたり、ドレン配管を不要にしたりすることができ、ドレン配管の材料費や配管配設工事費用を削減してコストダウンを図ることができる。
［他の実施形態］
以上、本発明の一実施形態について説明したが、本発明は実施形態に限定されるものではなく、発明の要旨を逸脱しない範囲で種々の変更が可能である。
【０１２２】
（Ａ）
上記実施形態では、ドレン水の発生を検知する手段として、水位センサ８１を用いる例を挙げて説明した。しかし、本発明はこれに限定されるものではない。
例えば、図１６に示すように、第１熱交換器３または第２熱交換器５の側面における上部に設けられたサーミスタ３ｃ，５ｃと、最下部に設けられたサーミスタ３ｄ，５ｄと、を用いてドレン水の発生を検知してもよい。
【０１２３】
このような構成を備えた空気調和機では、蒸発器として機能する熱交換器３，５においてドレン水が発生すると、熱交換器３，５の側面をつたって最下部に取り付けられたサーミスタ３ｄ，５ｄに接触する。そして、バッチ切換時間の経過後に空気および冷媒の流路が切り換えられると、熱交換器３，５が凝縮器として機能し、サーミスタの温度が上昇する。このとき、ドレン水が発生している場合には、最下部のサーミスタ３ｄ，５ｄはドレン水と接触しているため、ドレン水と接触していない上部のサーミスタ３ｃ，５ｃとの間で温度上昇に差が生じる。この結果、熱交換器３，５の上部と最下部とにそれぞれ取り付けられたサーミスタ３ｃ，５ｃおよびサーミスタ３ｄ，５ｄにおける、熱交換器３，５が凝縮器として機能する際の温度上昇に差が生じたことを検知することで、制御部８０はドレン水の発生を検知することができる。
【０１２４】
なお、図１６では、サーミスタが熱交換器３，５の双方に取り付けられているが、熱交換器３，５に対して、サーミスタ３ｃ，３ｄあるいはサーミスタ５ｃ，５ｄのいずれか一方のみが取り付けられている構成であってもよい。
（Ｂ）
上記実施形態では、ドレン水の発生を検知する手段として、フロート式の水位センサ８１を例に挙げて説明した。しかし、本発明はこれに限定されるものではない。
【０１２５】
例えば、同じ水位センサであっても、図１７に示すように、ドレンパン８３の底面に配置されたサーミスタ（ドレン水認識部）８５であってもよい。このサーミスタ８５を用いた水位センサでは、吸着動作を行う蒸発器として機能する熱交換器側において発生したドレン水がドレンパン８３に配置されたサーミスタ８５に接触すると温度測定値が空気温度からドレン水の温度まで下降することを検知してドレン水の発生を検知することができる。
【０１２６】
（Ｃ）
上記実施形態では、空気調和機１０が２つの熱交換器（第１熱交換器３、第２熱交換器）を備えており、バッチ式制御を行う例を挙げて説明した。しかし、本発明はこれに限定されるものではない。
例えば、単一の熱交換器を用いて吸着剤を担持した調湿ユニットを回転させる等の方法により吸着動作と再生動作とを行うフロー式の空気調和機であってもよい（特開２００１−２０８３７４号公報参照）。このようなフロー式空気調和機であっても、上記実施形態の空気調和機１０と同様に乾燥制御運転を行うことができる。
【０１２７】
さらに、本発明の空気調和機は、換気機能を備えた上記実施形態のデシカント式外調機に対して、換気機能を備えていないデシカント式調湿機であってもよい。
（Ｄ）
上記実施形態では、空気調和機１０が、２つの熱交換器（第１熱交換器３、第２熱交換器５）を備えている例を挙げて説明した。しかし、本発明はこれに限定されるものではない。
【０１２８】
例えば、３つ以上の熱交換器を備えており、所定の数の熱交換器が吸着動作、その他の熱交換器が再生動作を行う第１の状態と、上記所定の数の熱交換器が再生動作、その他の熱交換器が吸着動作を行う第２の状態とを切り換えるようにバッチ式制御が行われる空気調和機１０であってもよい。
（Ｅ）
上記実施形態では、第１熱交換器３および第２熱交換器５がクロスフィン式のフィン・アンド・チューブ型熱交換器である例を挙げて説明した。しかし、本発明はこれに限定されるものではない。
【０１２９】
例えば、コルゲートフィン式の熱交換器等の他の形式の熱交換器であってもよい。
（Ｆ）
上記実施形態では、吸着剤を、ディップ成形によって各フィン１３および伝熱管１５の外表面に担持している例を挙げて説明した。しかし、本発明はこれに限定されるものではない。
【０１３０】
例えば、吸着剤としての性能を損なわない限り、他のいかなる方法でその外表面に吸着剤を担持してもよい。
（Ｇ）
上記実施形態では、室内空間における温度および湿度を測定する温湿度センサ４と、湿度を測定する湿度センサ３ｂ，５ｂとを備えている例を挙げて説明した。しかし、本発明はこれに限定されるものではない。
【０１３１】
例えば、温湿度センサ４、湿度センサ３ｂ，５ｂのうち、いずれか一方を備えている構成であってもよい。ただし、この場合には、温度と湿度の両面からドレン水の発生を予測、検知することができないため、正確な制御を行いたい場合には上記実施形態のように室内空間における気温および湿度を測定する温湿度センサ４と、湿度を測定する湿度センサ３ｂ，５ｂとを両方備えていることがより好ましい。
【０１３２】
なお、湿度センサ３ｂ，５ｂおよび温湿度センサ４は、２つずつ設けられているが、熱交換器３，５のいずれか一方に１つずつ設けられていればよい。
【産業上の利用可能性】
【０１３３】
本発明の空気調和機は、機内におけるドレン水の発生を効果的に抑制できるという効果を奏することから、デシカント式の調湿機や外調機等の空気調和機に広く適用可能である。
【図面の簡単な説明】
【０１３４】
【図１】本発明の一実施形態に係る空気調和機の構成を示す平面図。
【図２】図１のI−I線におけるケーシング内部の構成を示す矢視断面図。
【図３】図１のII−II線におけるケーシング内部の構成を示す矢視断面図。
【図４】図１の空気調和機が備えている熱交換器を示す斜視図。
【図５】本発明の一実施形態に係る空気調和機が備えている冷媒回路を示す回路図。
【図６】（ａ），（ｂ）は、図１の空気調和機が備えている冷媒回路の制御状態を示す回路図。
【図７】図１の空気調和機における空気の流れを示す平面図。
【図８】図１の空気調和機における空気の流れを示す平面図。
【図９】図１の空気調和機における空気の流れを示す平面図。
【図１０】図１の空気調和機における空気の流れを示す平面図。
【図１１】図１の空気調和機が備えている制御部に接続された各構成を示すブロック図。
【図１２】図１の空気調和機が備えているドレン水認識部の一例を示すフローチャート。
【図１３】図１の空気調和機が備えているドレン水認識部の他の例を示すフローチャート。
【図１４】図１の空気調和機における乾燥運転制御の他の例を示すフローチャート。
【図１５】本発明のさらに他の実施形態に係る空気調和機が備えている熱源を示す側面図。
【図１６】本発明のさらに他の実施形態を示す空気調和機が備えているドレン水認識部の一例を示す側面図。
【図１７】本発明のさらに他の実施形態を示す空気調和機が備えているドレン水認識部の他の例を示す側面図。
【符号の説明】
【０１３５】
１              冷媒回路
３              第１熱交換器
３ａ，５ａ      サーミスタ（ドレン水認識部、センサ）
３ｂ，５ｂ      湿度センサ（ドレン水認識部、センサ）
３ｃ，５ｃ      サーミスタ（ドレン水認識部、センサ）
３ｄ，５ｄ      サーミスタ（ドレン水認識部、センサ）
５              第２熱交換器
６              第３熱交換器
７              圧縮機
９              四路切換弁（冷媒流路切換部）
１０            空気調和機
１１            膨張弁
１３            フィン
１５            伝熱管
１７            ケーシング
１９            第１吸込口
２１            第２吸込口
２３            第１吹出口
２５            第２吹出口
２７            仕切板
２９ａ          空気室
２９ｂ          機器室
３１ａ〜３１ｂ  第１〜第４の開口
３５〜３８      第５〜第８ダンパ（空気流路切換部）
４７〜５０      第１〜第４ダンパ（空気流路切換部）
５７            第２流入路
５９            第２流出路
６３            第１流入路
６５            第１流出路
６９            第１熱交換室
７３            第２熱交換室
７７，７９      送風ファン
８０            制御部
８１            水位センサ（ドレン水認識部）
８１ａ          本体部
８１ｂ          ステム
８１ｃ          フロート
８３            ドレンパン
８５            サーミスタ（ドレン水認識部、温度センサ）
８６            ヒータ（熱源）
９１            空気流路切換機構
９５            キャピラリーチューブ
９６            電磁弁
１００          冷媒回路
１０１          空気調和機
１０２，１０３  調湿エレメント
【図１】
2005291571.tif 000003
【図２】
2005291571.tif 000004
【図３】
2005291571.tif 000005
【図４】
2005291571.tif 000006
【図５】
2005291571.tif 000007
【図６】
2005291571.tif 000008
【図７】
2005291571.tif 000009
【図８】
2005291571.tif 000010
【図９】
2005291571.tif 000011
【図１０】
2005291571.tif 000012
【図１１】
2005291571.tif 000013
【図１２】
2005291571.tif 000014
【図１３】
2005291571.tif 000015
【図１４】
2005291571.tif 000016
【図１５】
2005291571.tif 000017
【図１６】
2005291571.tif 000018
【図１７】
2005291571.tif 000019
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
蒸気圧縮式の冷凍サイクル運転を行うことによって、室内空間における顕熱負荷および潜熱負荷を処理する空気調和機（１０）であって、
空気中の水分を吸着する吸着剤と、
前記冷凍サイクルにおける冷媒の蒸発器として機能して前記吸着剤に水分を吸着させる吸着動作と、凝縮器として機能して前記吸着剤から水分を脱離させる再生動作とを行う熱交換器（３，５）と、
前記熱交換器（３，５）におけるドレン水の発生を予測あるいは検知するドレン水認識部（３ｂ，３ｃ，３ｄ，４，５ｂ，５ｃ，５ｄ，８１，８５）と、
前記ドレン水認識部（３ｂ，３ｃ，３ｄ，４，５ｂ，５ｃ，５ｄ，８１，８５）における予測あるいは検知結果に基づいて、前記ドレン水の発生を抑制する乾燥運転を行う制御部（８０）と、
を備え、
前記制御部（８０）は、前記熱交換器（３，５）における前記再生動作と前記吸着動作とを、所定のバッチ切換時間が経過するたびに交互に切り換えながら運転を行うとともに、前記バッチ切換時間を短くして前記乾燥運転を行う、
空気調和機（１０）。
【請求項２】
蒸気圧縮式の冷凍サイクル運転を行うことによって、室内空間における顕熱負荷および潜熱負荷を処理する空気調和機（１０）であって、
空気中の水分を吸着する吸着剤と、
前記冷凍サイクルにおける冷媒の蒸発器として機能して前記吸着剤に水分を吸着させる吸着動作と、凝縮器として機能して前記吸着剤から水分を脱離させる再生動作とを行う熱交換器（３，５）と、
前記熱交換器（３，５）におけるドレン水の発生を予測あるいは検知するドレン水認識部（３ｂ，３ｃ，３ｄ，４，５ｂ，５ｃ，５ｄ，８１，８５）と、
前記熱交換器（３，５）における前記再生動作と前記吸着動作とを所定のバッチ切換時間が経過するたびに交互に切り換えながら運転を行うとともに、前記ドレン水認識部（３ｂ，３ｃ，３ｄ，４，５ｂ，５ｃ，５ｄ，８１，８５）における予測あるいは検知結果に基づいて、前記ドレン水の発生を抑制する乾燥運転を行う制御部（８０）と、
前記バッチ切換時間の経過時において、前記冷媒の流路を切り換える冷媒流路切換部（９）と、
前記バッチ切換時間の経過時において、空気の流路を切り換える空気流路切換部（３５〜３８，４７〜５０）と、
を備え、
前記制御部（８０）は、前記冷媒流路切換部（９）における前記冷媒の流路切り換えを前記空気流路切換部（３５〜３８，４７〜５０）における空気の流路を切り換えるタイミングよりも早くして前記乾燥運転を行う、
空気調和機（１０）。
【請求項３】
蒸気圧縮式の冷凍サイクル運転を行うことによって、室内空間における顕熱負荷および潜熱負荷を処理する空気調和機（１０）であって、
空気中の水分を吸着する吸着剤と、
前記冷凍サイクルにおける冷媒の蒸発器として機能して前記吸着剤に水分を吸着させる吸着動作と、凝縮器として機能して前記吸着剤から水分を脱離させる再生動作とを行う熱交換器（３，５）と、
前記熱交換器（３，５）におけるドレン水の発生を検知するドレン水認識部と、
前記ドレン水認識部における検知結果に基づいて、前記ドレン水の発生を抑制する乾燥運転を行う制御部（８０）と、
を備え、
前記制御部（８０）は、前記室内空間から取り込んだ空気に対して前記潜熱負荷の処理を行い、前記処理された空気を室内空間へ排出するとともに、室外から取り込んだ空気に対して前記潜熱負荷を供給して室外へ放出する循環運転に切り換えて前記乾燥運転を行う、
空気調和機（１０）。
【請求項４】
蒸気圧縮式の冷凍サイクル運転を行うことによって、室内空間における顕熱負荷および潜熱負荷を処理する空気調和機（１０）であって、
空気中の水分を吸着する吸着剤と、
前記冷凍サイクルにおける冷媒の蒸発器として機能して前記吸着剤に水分を吸着させる吸着動作と、凝縮器として機能して前記吸着剤から水分を脱離させる再生動作とを行う熱交換器（３，５）と、
前記熱交換器（３，５）におけるドレン水の発生を検知するドレン水認識部と、
前記熱交換器（３，５）における前記再生動作と前記吸着動作とを所定のバッチ切換時間が経過するたびに交互に切り換えながら運転を行うとともに、前記ドレン水認識部における検知結果に基づいて、前記ドレン水の発生を抑制する乾燥運転を行う制御部（８０）と、
前記冷凍サイクルにおいて流れる冷媒を加圧する圧縮機（７）と、
を備え、
前記制御部（８０）は、前記乾燥運転において、前記圧縮機（７）の容量を抑えて蒸発器として機能する際の前記熱交換器におけるドレン水の発生を抑えるとともに、前記バッチ切換時間を長くする、
空気調和機（１０）。
【請求項５】
前記ドレン水認識部（３ｂ，３ｃ，３ｄ，４，５ｂ，５ｃ，５ｄ，８１，８５）は、前記熱交換器（３，５）の下部に配置されたドレンパン（８３）に取り付けられた水位センサ（８１）を有している、
請求項１から４のいずれかに記載の空気調和機（１０）。
【請求項６】
前記ドレン水認識部（３ｂ，３ｃ，３ｄ，４，５ｂ，５ｃ，５ｄ，８１，８５）は、前記蒸発器として機能する前記熱交換器（３，５）を通過した空気の温度および湿度の少なくとも一方を検知するセンサ（３ｂ，４，５ｂ）を有している、
請求項１から４のいずれかに記載の空気調和機（１０）。
【請求項７】
前記ドレン水認識部（３ｂ，３ｃ，３ｄ，４，５ｂ，５ｃ，５ｄ，８１，８５）は、前記熱交換器（３，５）の上部と下部とにそれぞれ設けられた温度センサ（３ｃ，５ｃ，３ｄ，５ｄ）を有している、
請求項１から４のいずれかに記載の空気調和機（１０）。
【手続補正２】
【補正対象書類名】明細書
【補正対象項目名】全文
【補正方法】変更
【補正の内容】
【発明の詳細な説明】
【技術分野】
【０００１】
本発明は、空気と冷媒との間で熱交換を行わせるための熱交換器を備えた空気調和機に関する。
【背景技術】
【０００２】
従来より、室内空間を快適な環境に保つために、室内空間に存在する顕熱負荷および潜熱負荷をそれぞれ処理する熱交換器を備えた空気調和機が提供されている。
空気調和機において除湿運転を行う場合には、一般的に、蒸発器として機能する熱交換器の温度（冷媒の温度）を、これを通過する空気の露点温度以下まで下げて熱交換器を通過する際に空気中の水分を結露させることで除去し、潜熱処理を行っている（特許文献１参照）。
【０００３】
例えば、特許文献１に開示された空気調和機では、上記のようにして熱交換器において発生したドレン水を空気調和機の室内機から屋外まで配設されたドレン配管を通じて屋外へ排出している。これにより、空気調和機の室内機において大量に発生するドレン水が室内機であふれて室内にたれてくる等の不具合の発生を防止して、屋外へ排出することができる。
【特許文献１】特開２００２−１３７５６号公報（平成１４年１月１８日公開）
【特許文献２】特開平１０−１９６９９５号公報（平成１０年７月３１日公開）
【発明の開示】
【発明が解決しようとする課題】
【０００４】
しかしながら、上記公報に開示された従来の空気調和機では、以下に示すような問題点を有している。
すなわち、上記公報に開示された空気調和機では、上記のようにドレン水を室内機から屋外へ排出するためのドレン配管を配設する必要があるため、工事が面倒で、かつコストアップの要因となっていた。
【０００５】
本発明の課題は、デシカント式の空気調和機の室内機側におけるドレン水の発生を抑制することが可能な空気調和機を提供することにある。
【課題を解決するための手段】
【０００６】
第１の発明に係る空気調和機は、蒸気圧縮式の冷凍サイクル運転を行うことによって、室内空間における顕熱負荷および潜熱負荷を処理する空気調和機であって、吸着剤と熱交換器とドレン水認識部と制御部とを備えている。吸着剤は、空気中の水分を吸着する。熱交換器は、冷凍サイクルにおける冷媒の蒸発器として機能して吸着剤に水分を吸着させる吸着動作と、凝縮器として機能して吸着剤から水分を脱離させる再生動作とを行う。ドレン水認識部は、熱交換器におけるドレン水の発生を予測あるいは検知する。制御部は、ドレン水認識部における予測あるいは検知結果に基づいて、ドレン水の発生を抑制する乾燥運転を行う。また、制御部は、熱交換器における再生動作と吸着動作とを、所定のバッチ切換時間が経過するたびに交互に切り換えながら運転を行うとともに、バッチ切換時間を短くして乾燥運転を行う。
【０００７】
ここでは、ドレン水認識部が、ドレン水が発生しやすい空気調和機の内部、例えば、蒸発器となって吸着動作を行う熱交換器におけるドレン水の発生を予測または検知して、制御部が乾燥運転を行う。
これにより、蒸発器となって吸着動作を行う熱交換器においてドレン水が発生したことを予測して、あるいは実際にドレン水が発生したことを検知して乾燥運転を行い、空気調和機の内部においてドレン水が発生しにくい環境を形成することができる。よって、空気調和機の内部におけるドレン水の発生を予防または抑制することが可能になる。
【０００８】
この結果、ドレン水配管が設置されている空気調和機と比較して、例えば、空気調和機からドレン水を外部へ排出するためのドレン水配管の設置を不要にしてコストダウンを図ることができる、ドレン水配管を従来の配管径よりも細いものに置き換えられる等の効果を奏する。
また、ここでは、上記ドレン水認識部においてドレン水の発生を検知した場合には、制御部が検知時における運転状態よりもバッチ切換時間を短くする。これにより、吸着動作と再生動作との切り換えが早くなり、吸着剤が常に高い吸着力を保持した状態を維持することができる。一方、蒸発器、凝縮器として機能する熱交換器が十分に温度上昇、下降する前に切り換えられるため、顕熱の処理能力が低下する。この結果、潜熱負荷を効率よく処理する乾燥運転を行うことができる。
【０００９】
第２の発明に係る空気調和機は、蒸気圧縮式の冷凍サイクル運転を行うことによって、室内空間における顕熱負荷および潜熱負荷を処理する空気調和機であって、吸着剤と熱交換器とドレン水認識部と制御部と冷媒流路切換部と空気流路切換部とを備えている。吸着剤は、空気中の水分を吸着する。熱交換器は、冷凍サイクルにおける冷媒の蒸発器として機能して吸着剤に水分を吸着させる吸着動作と、凝縮器として機能して吸着剤から水分を脱離させる再生動作とを行う。ドレン水認識部は、熱交換器におけるドレン水の発生を予測あるいは検知する。制御部は、熱交換器における再生動作と吸着動作とを所定のバッチ切換時間が経過するたびに交互に切り換えながら運転を行うとともに、ドレン水認識部における予測あるいは検知結果に基づいて、ドレン水の発生を抑制する乾燥運転を行う。冷媒流路切換部は、バッチ切換時間の経過時において、冷媒の流路を切り換える。空気流路切換部は、バッチ切換時間の経過時において、空気の流路を切り換える。また、制御部は、冷媒流路切換部における冷媒の流路切り換えを、空気流路切換部における空気の流路を切り換えるタイミングよりも早くして、乾燥運転を行う。
【００１０】
ここでは、ドレン水認識部が、ドレン水が発生しやすい空気調和機の内部、例えば、蒸発器となって吸着動作を行う熱交換器におけるドレン水の発生を予測または検知して、制御部が乾燥運転を行う。
これにより、蒸発器となって吸着動作を行う熱交換器においてドレン水が発生したことを予測して、あるいは実際にドレン水が発生したことを検知して乾燥運転を行い、空気調和機の内部においてドレン水が発生しにくい環境を形成することができる。よって、空気調和機の内部におけるドレン水の発生を予防または抑制することが可能になる。
【００１１】
この結果、ドレン水配管が設置されている空気調和機と比較して、例えば、空気調和機からドレン水を外部へ排出するためのドレン水配管の設置を不要にしてコストダウンを図ることができる、ドレン水配管を従来の配管径よりも細いものに置き換えられる等の効果を奏する。
また、ここでは、上記ドレン水認識部においてドレン水の発生を検知した場合には、制御部が冷媒流路の切り換えタイミングを空気流路の切り換えタイミングよりも早くする。
これにより、ドレン水が発生する蒸発器として機能する熱交換器側に早めに湿度の低い空気を送り込むことができるため、その後のドレン水の発生を抑制できる。また、凝縮器として機能する側の熱交換器については、凝縮器として機能する時間は変化しないため、熱交換器を乾燥させることができる。
【００１２】
第３の発明に係る空気調和機は、蒸気圧縮式の冷凍サイクル運転を行うことによって、室内空間における顕熱負荷および潜熱負荷を処理する空気調和機であって、吸着剤と熱交換器とドレン水認識部と制御部とを備えている。吸着剤は、空気中の水分を吸着する。熱交換器は、冷凍サイクルにおける冷媒の蒸発器として機能して吸着剤に水分を吸着させる吸着動作と、凝縮器として機能して吸着剤から水分を脱離させる再生動作とを行う。ドレン水認識部は、熱交換器におけるドレン水の発生を検知する。制御部は、ドレン水認識部における検知結果に基づいて、ドレン水の発生を抑制する乾燥運転を行う。また、制御部は、室内空間から取り込んだ空気に対して潜熱負荷の処理を行い、処理された空気を室内空間へ排出するとともに、室外から取り込んだ空気に対して潜熱負荷を供給して室外へ放出する循環運転に切り換えて、乾燥運転を行う。
【００１３】
ここでは、ドレン水認識部が、ドレン水が発生しやすい空気調和機の内部、例えば、蒸発器となって吸着動作を行う熱交換器におけるドレン水の発生を検知して、制御部が乾燥運転を行う。
この結果、ドレン水配管が設置されている空気調和機と比較して、例えば、空気調和機からドレン水を外部へ排出するためのドレン水配管の設置を不要にしてコストダウンを図ることができる、ドレン水配管を従来の配管径よりも細いものに置き換えられる等の効果を奏する。
また、ここでは、上記ドレン水認識部においてドレン水の発生を検知した場合には、制御部が空気の流路を切り換えて循環運転を行い、潜熱負荷を外気へ放出する。
【００１４】
第４の発明に係る空気調和機は、蒸気圧縮式の冷凍サイクル運転を行うことによって、室内空間における顕熱負荷および潜熱負荷を処理する空気調和機であって、吸着剤と熱交換器とドレン水認識部と制御部と圧縮機とを備えている。吸着剤は、空気中の水分を吸着する。熱交換器は、冷凍サイクルにおける冷媒の蒸発器として機能して吸着剤に水分を吸着させる吸着動作と、凝縮器として機能して吸着剤から水分を脱離させる再生動作とを行う。ドレン水認識部は、熱交換器におけるドレン水の発生を検知する。制御部は、熱交換器における再生動作と吸着動作とを所定のバッチ切換時間が経過するたびに交互に切り換えながら運転を行うとともに、ドレン水認識部における検知結果に基づいて、ドレン水の発生を抑制する乾燥運転を行う。圧縮機は、冷凍サイクルにおいて流れる冷媒を加圧する。また、制御部は、乾燥運転において、圧縮機の容量を抑えて蒸発器として機能する際の熱交換器におけるドレン水の発生を抑えるとともに、バッチ切換時間を長くする。
【００１５】
ここでは、ドレン水認識部が、ドレン水が発生しやすい空気調和機の内部、例えば、蒸発器となって吸着動作を行う熱交換器におけるドレン水の発生を検知して、制御部が乾燥運転を行う。
この結果、ドレン水配管が設置されている空気調和機と比較して、例えば、空気調和機からドレン水を外部へ排出するためのドレン水配管の設置を不要にしてコストダウンを図ることができる、ドレン水配管を従来の配管径よりも細いものに置き換えられる等の効果を奏する。
【００１６】
また、ここでは、ドレン水認識部においてドレン水の発生を検知した場合には、制御部が冷凍サイクルを構成する圧縮機の容量を調整して、冷凍サイクルにおいて流れる冷媒の蒸発温度を室内空間における空気の露点温度よりも上昇させる。
これにより、空気調和機の内部におけるドレン水の発生を効果的に抑制して乾燥運転を行うことができる。
【００１７】
さらに、ここでは、上記ドレン水認識部においてドレン水の発生を検知した場合には、制御部が検知時における運転状態よりもバッチ切換時間を長くする。
冷媒流路切換時間が長くなることで、凝縮熱が増大してドレン水を蒸発させやすい状態にすることができる。
【００１８】
第５の発明にかかる空気調和機は、第１から４のいずれかの発明に記載の空気調和機であって、ドレン水認識部は、熱交換器の下部に配置されたドレンパンに取り付けられた水位センサを有している。
ここでは、ドレン水認識部が、熱交換器が蒸発器として機能する際に発生するドレン水が溜まるドレンパンにおいてドレン水の発生を検知する水位センサを備えている。
これにより、熱交換器においてドレン水が発生したことを容易に検知することができる。
【００１９】
第６の発明に係る空気調和機は、第１から４のいずれかの発明に記載の空気調和機であって、ドレン水認識部は、蒸発器として機能する熱交換器を通過した空気の温度および湿度の少なくとも一方を検知するセンサを有している。
ここでは、ドレン水認識部が、蒸発器として機能して吸着動作を行った熱交換器側を通過した空気の温度および／または湿度を検知するセンサを備えている。
これにより、蒸発器として機能して吸着動作を行う熱交換器を通過した空気が高湿度になっていることを検知して、蒸発器として機能する熱交換器におけるドレン水の発生を予測することができる。
【００２０】
第７の発明に係る空気調和機は、第１から４のいずれかの発明に記載の空気調和機であって、ドレン水認識部は、熱交換器の上部と下部とにそれぞれ設けられた温度センサを有している。
ここでは、ドレン水認識部が、ドレン水の発生を検知する手段として、熱交換器の上部、下部のそれぞれに設けられた温度センサを備えている。
【００２１】
これにより、熱交換器が蒸発器として吸着動作を行った際に吸着剤で吸収できずに発生したドレン水が熱交換器の下部に溜まると、この熱交換器が凝縮機として再生動作を行う際に熱交換器における上部と下部とで温度上昇に差が生じる。このため、熱交換器が蒸発器から凝縮器へと切り換えられた際に生じる熱交換器上部と下部とにおける温度差を検出するために、熱交換器の上部と下部とに温度検知素子をそれぞれ設けることで、ドレン水の発生を検知することができる。
【発明を実施するための最良の形態】
【００２２】
本発明の一実施形態に係る空気調和機およびその制御方法について、図１〜図１５を用いて説明すれば以下の通りである。
［空気調和機全体の構成］
本実施形態の空気調和機１０は、熱交換器の表面にシリカゲル等の吸着剤を担持したデシカント式外調機であって、室内空間に供給される空気に対して冷房除湿運転、あるいは暖房加湿運転を行う。また、空気調和機１０は、図１〜図３に示すように、第１熱交換器（熱交換器）３、第２熱交換器（熱交換器）５、サーミスタ３ａ，５ａ（図５参照）、湿度センサ（ドレン水認識部）３ｂ，５ｂ（図５参照）、温湿度センサ（ドレン水認識部）４（図５参照）、送風ファン７７，７９、圧縮機７、ケーシング１７、制御部８０（図１１参照）等を備え、後述する冷媒回路１を形成している。
【００２３】
第１熱交換器３および第２熱交換器５は、図４に示すように、クロスフィン式のフィン・アンド・チューブ型の熱交換器であって、長方形板状に形成されたアルミニウム製の多数のフィン１３と、このフィン１３を貫通する銅製の伝熱管１５とを備えている。各フィン１３および伝熱管１５の外表面には、第１・第２熱交換器３，５を通過する空気に含まれる水分を吸着させる吸着剤がディップ成形（浸漬成形）等によって担持されている。
【００２４】
この吸着剤としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料等を使用することができる。
なお、上記第１・第２熱交換器３，５は、第１熱交換器３が凝縮器、第２熱交換器５が蒸発器として機能する第１の状態と、第１熱交換器３が蒸発器、第２熱交換器５が凝縮器として機能する第２の状態とが、後述する制御部８０によって交互に切り換えられる、いわゆるバッチ式制御が行われる。また、第１の状態においては、第１熱交換器３が凝縮器として機能する際に吸着剤から水分を脱離させる吸着剤の再生動作、第２熱交換器５が蒸発器として機能する際に吸着剤に水分を吸着させる吸着動作が行われる。一方、第２の状態においては、第１熱交換器３が蒸発器として機能する際に吸着剤に水分を吸着させる吸着動作、第２熱交換器５が凝縮器として機能する際に吸着剤から水分を脱離させる吸着剤の再生動作が行われる。このように、第１熱交換器３と第２熱交換器５とにおいて、交互に吸着動作と再生動作とを繰り返すとともに、各熱交換器３，５を通過して室内外へ供給される空気の流路を切り換えることで、吸着剤における水分の吸着と放出（脱離）とを継続して行うことができる。よって、除湿性能あるいは加湿性能を維持しつつ各種運転を安定して行うことができる。
【００２５】
また、第１熱交換器３および第２熱交換器５は、例えば冷房除湿運転を行う場合において、蒸発器として機能する際に、熱交換器３，５を流れる冷媒と熱交換器３，５を通過する空気との間で熱交換を行って顕熱負荷を処理する。そして、熱交換器３，５の表面に担持された吸着剤により熱交換器３，５を通過する空気に含まれる水分を吸着して潜熱処理を行う。これにより、第１の状態または第２の状態において、２つの熱交換器３，５を用いて交互に吸着動作と再生動作とを行うことで、吸着剤による吸着力を低下させることなく、安定した状態で顕熱処理および潜熱処理の双方を行うことができる。
【００２６】
サーミスタ３ａは、第１熱交換器３に取り付けられており、第１熱交換器３が凝縮器として機能する第１の状態と蒸発器として機能する第２の状態とにおいて、第１熱交換器３の表面温度（冷媒温度）を測定する。
湿度センサ３ｂは、後述する空気流路切換機構（空気流路切換部）９１における空気の流路の切り換えに応じて、第１熱交換器３を通過する前、あるいは通過した後の空気の湿度を測定する。
【００２７】
温湿度センサ４は、熱交換器３，５を通過する前あるいは後における空気の温度と湿度とを測定する。
サーミスタ５ａは、第２熱交換器５に取り付けられており、第２熱交換器５が蒸発器として機能する第１の状態と凝縮器として機能する第２の状態とにおいて、第２熱交換器５の表面温度（冷媒温度）を測定する。
【００２８】
湿度センサ５ｂは、空気流路切換機構９１における空気の流路の切り換えに応じて、第２熱交換器５を通過する前、あるいは通過した後の空気の湿度を測定する。
そして、制御部８０が、温湿度センサ４、湿度センサ３ｂ，５ｂにおける湿度測定結果に基づいて、ドレン水の発生を予測する。
第１ファン７９は、第１吹出口２３の位置に対応して取り付けられており、ケーシング１７の内部から外部に向かって空気を送り出す。
【００２９】
第２ファン７７は、第２吹出口２５の位置に対応して取り付けられており、ケーシング１７の内部から外部に向かって空気を送り出す。そして、第１・第２ファン７７，７９は、後述する第１吸込口１９、第２吸込口２１、第１吹出口２３、第２吹出口２５を介して、空気調和機１０における空気流路を形成する。
ケーシング１７は、略直方体形状の箱であって、後述する冷媒回路１が収納されている。ケーシング１７の左側面板１７ａには、室外空気ＯＡを取り入れる第１吸込口１９と、リターン空気である室内空気ＲＡを取り入れる第２吸込口２１とが形成されている。一方、ケーシング１７の右側面板１７ｂには、排出空気ＥＡを室外に排出する第１吹出口２３と、調湿空気ＳＡを室内に供給する第２吹出口２５とが形成されている。また、ケーシング１７の内部には、ケーシング１７の内部を仕切る仕切部材として仕切板２７が設けられている。そして、ケーシング１７は、この仕切板２７によって形成された空気室２９ａと機器室２９ｂとを有している。
【００３０】
仕切板２７は、図１に示すように、ケーシング１７の下端である正面板１７ｃから上端である背面板１７ｄまで設けられているとともに、ケーシング１７の中央部よりやや右側に配置されている。さらに、仕切板２７は、ケーシング１７の厚さ方向である垂直方向に設けられており、図２および図３に示すように、ケーシング１７の上端である上面板１７ｅから下端である下面板１７ｆまで設けられている。
【００３１】
空気室２９ａには、仕切部材として、第１端面板３３と第２端面板３１と中央の区画板６７とが設けられている。第１端面板３３と第２端面板３１とは、図１に示すように、ケーシング１７の左側面板１７ａから仕切板２７まで設けられている。また、第１端面板３３は、図１に示すように、ケーシング１７の中央部よりやや上側に配置され、第２端面板３１は、図１に示すように、ケーシング１７の中央部よりやや下側に配置されている。また、第１端面板３３と第２端面板３１とは、図２および図３に示すように、ケーシング１７の上面板１７ｅから下面板１７ｆまで設けられている。区画板６７は、図１に示すように、第１端面板３３から第２端面板３１まで設けられている。
【００３２】
機器室２９ｂには、冷媒回路１を構成する部材のうち、第１，第２熱交換器３，５を除く圧縮機７等が収納されているとともに、第１ファン７９と第２ファン７７とが収納されている。
さらに、ケーシング１７は、空気室２９ａに、第１端面板３３と第２端面板３１と区画板６７と仕切板２７とによって形成された第１熱交換室６９と、第１端面板３３と第２端面板３１と区画板６７と左側面板１７ａとによって形成された第２熱交換室７３とを有している。
【００３３】
第１熱交換室６９には、第１熱交換器３が配置され、第２熱交換室７３には、第２熱交換器５が配置されている。
第１端面板３３と背面板１７ｄとの間には、仕切部材である水平板６１が設けられて第１流入路６３と第１流出路６５とが形成されている。また、第２端面板３１と正面板１７ｃとの間には、仕切部材である水平板５５が設けられて第２流入路５７と第２流出路５９とが形成されている。
【００３４】
水平板６１，５５は、ケーシング１７の内部空間を仕切っており、図２に示すように、第１流入路６３が上面側に、第１流出路６５が下面側に形成され、図３に示すように、第２流入路５７が上面側に、第２流出路５９が下面側に形成されている。つまり、第１流入路６３と第１流出路６５とは、第１熱交換室６９および第２熱交換室７３の各一面が連続する厚さ方向の一端面に沿って形成され、かつ第１熱交換室６９および第２熱交換室７３の厚さ方向に重畳して配置されている。
【００３５】
また、第２流入路５７と第２流出路５９とは、第１熱交換室６９および第２熱交換室７３の各一面が連続する端面で一端面に対向する対向面に沿って形成され、かつ第１熱交換室６９および第２熱交換室７３の厚さ方向に重畳して配置されている。
そして、第１流入路６３および第１流出路６５と第２流入路５７および第２流出路５９とは、図１に示すように上下対称に配置され、つまり、第１熱交換室６９および第２熱交換室７３を横断する中央線を基準として面対称に配置されている。
【００３６】
さらに、第１流入路６３は、第１吸込口１９に連通し、第１流出路６５は、第１ファン７９を介して第１吹出口２３に連通している。また、第２流入路５７は、第２吸込口２１に連通し、第２流出路５９は、第２ファン７７を介して第２吹出口２５に連通している。
第１端面板３３には、図２に示すように、４つの開口３３ａ〜３３ｄが形成されている。各開口３３ａ〜３３ｄには、第１ダンパ４７、第２ダンパ４８、第３ダンパ４９および第４ダンパ５０（空気流路切換部）が設けられている。４つの開口３３ａ〜３３ｄは、行列方向に近接して配置されており、つまり、上下左右に２つずつ升目状に配置され、第１の開口３３ａと第３の開口３３ｃとが第１熱交換室６９の内部に形成され、第２の開口３３ｂと第４の開口３３ｄとが第２熱交換室７３の内部に形成されている。
【００３７】
第１の開口３３ａは、第１流入路６３と第１熱交換室６９とを連通させ、第３の開口３３ｃは、第１流出路６５と第１熱交換室６９とを連通させている。また、第２の開口３３ｂは、第１流入路６３と第２熱交換室７３とを連通させ、第４の開口３３ｄは、第１流出路６５と第２熱交換室７３とを連通させている。
第２端面板３１には、図３に示すように、４つの開口３１ａ〜３１ｄが形成されている。各開口３１ａ〜３１ｄには、第５ダンパ３５、第６ダンパ３６、第７ダンパ３７および第８ダンパ３８（空気流路切換部）が設けられている。４つの開口３１ａ〜３１ｄは、行列方向に近接して配置されている。つまり、４つの開口３１ａ〜３１ｄは、上下左右に２つずつ升目状に配置されている。そして、第５の開口３１ａと第７の開口３１ｃとが第１熱交換室６９の内部に形成され、第６の開口３１ｂと第８の開口３１ｄとが第２熱交換室７３の内部に形成されている。
【００３８】
第５の開口３１ａは、第２流入路５７と第１熱交換室６９とを連通させ、第７の開口３１ｃは、第２流出路５９と第１熱交換室６９とを連通させている。また、第６の開口３１ｂは、第２流入路５７と第２熱交換室７３とを連通させ、第８の開口３１ｄは、第２流出路５９と第２熱交換室７３とを連通させている。
また、第１〜第８ダンパ４７〜５０，３５〜３８は、開口３３ａ〜３３ｄおよび開口３１ａ〜３１ｄを開閉する図示しない開閉手段（空気流路切換機構（空気流路切換部）９１）を有しており、この開閉手段を用いて、上述した第１の状態と第２の状態との切り換え時に空気の流路を変更する。
【００３９】
本実施形態の空気調和機１０は、内部に、図１１に示す制御部８０を備えている。そして、制御部８０は、除湿運転と加湿運転とを切り換え可能に制御する。また、制御部８０は、図１１に示すように、温湿度センサ４、湿度センサ３ｂ，５ｂ、水位センサ（ドレン水認識部）８１、空気流路切換機構９１、四路切換弁（冷媒流路切換部）９、膨張弁１１と接続されている。
【００４０】
温湿度センサ４、湿度センサ３ｂ，５ｂについては、上述した通りである。
水位センサ８１は、図１２に示すように、第１熱交換器３および第２熱交換器５の直下において、第１熱交換器３、第２熱交換器５が蒸発器として機能する際に発生する可能性があるドレン水Ｗを溜めるドレンパン８３の底面に取り付けられたフロート式の水位センサである。また、水位センサ８１は、本体部８１ａ、ステム８１ｂ、フロート８１ｃを備えている。本体部８１ａは、フロート８１ｃが所定位置になったときに検出信号を発生するリミットスイッチ（図示せず）を内部に備えている。ステム８１ｂは、本体部８１ａから下向きに伸びる円柱状の部材である。フロート８１ｃは、ステム８１ｂに対して上下方向に摺動可能に取り付けられており、内部が中空のドーナツ型の部材である。実際に発生したドレン水Ｗの検知は、図１２に示すように、ドレンパン８３にドレン水Ｗが溜まってきてステム８１ｂに沿って所定の高さまで上昇したフロート８１ｃをリミットスイッチが検知することで行われる。
【００４１】
ドレンパン８３は、第１，第２熱交換器３，５の直下において、第１熱交換器３、第２熱交換器５がそれぞれ蒸発器として機能する際に発生する可能性があるドレン水Ｗを溜めるための受け皿となる部材である。なお、本実施形態の空気調和機１０では、水位センサ８１がドレン水の発生を検知すると、制御部８０が後述する乾燥運転に切り換えられて、ドレン水の発生を抑制する制御を行うとともに、すでに発生しているドレン水の蒸発を促進する制御を行うことから、ドレンパン８３は水位センサ８１のフロート８１ｃが納まる程度の大きさであればよい。なお、本実施形態における乾燥運転とは、その後のドレン水の発生を抑制する運転と、すでに発生したドレン水の蒸発を促す運転の双方を含むものとする。
【００４２】
空気流路切換機構９１は、第１〜第４ダンパ３５〜３８および第５〜第８ダンパ４７〜５０が備えている切換手段であって、制御部８０からの指示によって空気流路を切り換える。
四路切換弁９は、後述する冷媒回路１において冷媒の流路を切り換える。なお、四路切換弁９については、冷媒回路１について説明する後段にて詳述する。
【００４３】
膨張弁１１は、後述する冷媒回路１において冷媒の圧力を調整する。
また、制御部８０は、空気調和機１０が除湿運転を行う場合には、第１熱交換器３および第２熱交換器５を交互に蒸発器として機能させ、この第１熱交換器３または第２熱交換器５を介して空気調和機１０内を流れる空気に含まれる水分を吸着剤で吸着させる。一方、第２熱交換器５または第１熱交換器３を凝縮器として機能させ、凝縮熱により、この第２熱交換器５または第１熱交換器３を介して空気調和機１０内を流れる空気に対して吸着剤において吸着した水分を放出して吸着剤を再生させる。そして、吸着剤によって除湿された空気を室内に供給し、かつ吸着剤から水分が放出された空気を室外に供給するように冷媒回路１の冷媒循環および第１〜第８ダンパ４７〜５０，３５〜３８によって空気流路を切り換える。
【００４４】
制御部８０は、加湿運転を行う場合には、蒸発器として機能する第１熱交換器３または第２熱交換器５を介して空気調和機１０内を流れる空気に含まれる水分を吸着剤で吸着する。一方、凝縮器として機能する第２熱交換器５または第１熱交換器３を介して空気調和機１０内を流れる空気に対して吸着剤において吸着した水分を放出して吸着剤を再生する。そして、吸着剤から水分が放出されて加湿された空気を室内に供給するように冷媒回路１の冷媒循環およびダンパ４７〜５０，３５〜３８による空気流通を切り換える。
【００４５】
具体的には、制御部８０は、全換気モードにおいて冷房除湿運転を行う場合には、室外空気を取り込み、蒸発器として機能する第１熱交換器３または第２熱交換器５の表面に担持された吸着剤において室外空気の水分を吸着し、室外空気を除湿空気にして室内に供給する。一方、室内空気を取り込み、凝縮器として機能する第２熱交換器５または第１熱交換器３の表面に担持された吸着剤から水分を放出させて吸着剤を再生し、加湿空気を室外へ放出する。
【００４６】
また、制御部８０は、循環モードにおいて冷房除湿運転を行う場合には、室内空気を取り込み、蒸発器として機能する第１熱交換器３または第２熱交換器５の表面に担持された吸着剤において室内空気の水分を吸着し、除湿した空気を室内に供給する。一方、室外空気を取り込み、凝縮器として機能する第２熱交換器５または第１熱交換器３の表面に担持された吸着剤から水分を放出させて吸着剤を再生し、加湿空気を室外へ放出することで除湿運転を行う。
【００４７】
一方、制御部８０は、全換気モードにおいて暖房加湿運転を行う場合には、室内空気を取り込み、蒸発器として機能する第１熱交換器３または第２熱交換器５の表面に担持された吸着剤において取り込まれた空気に含まれる水分を吸着し、除湿された空気を室外に排出する。一方、室外空気を取り込み、凝縮器として機能する第２熱交換器５または第１熱交換器３の表面に担持された吸着剤から水分を放出させて吸着剤を再生し、加湿された空気を室内に供給する。
【００４８】
また、制御部８０は、循環モードにおいて暖房加湿運転を行う場合には、室外空気を取り込み、蒸発器として機能する第１熱交換器３または第２熱交換器５の表面に担持された吸着剤において取り込まれた空気に含まれる水分を吸着し、除湿された空気を屋外へ放出する。一方、室内空気を取り込み、凝縮器として機能する第２熱交換器５または第１熱交換器３の表面に担持された吸着剤から水分を放出して吸着剤を再生し、加湿された空気を屋内へ放出する。
【００４９】
〔冷媒回路の構成〕
冷媒回路１は、図５に示すように、圧縮機７と、四路切換弁９と、第１熱交換器３と、膨張弁１１と、第２熱交換器５とがこの順に冷媒配管を介して接続された閉回路として形成されている。さらに、冷媒回路１には冷媒が充填されており、この冷媒が冷媒回路１を循環して蒸気圧縮式の冷凍サイクルを形成している。
【００５０】
第１熱交換器３は、その一端が四路切換弁９に接続されており、他端は膨張弁１１を介して第２熱交換器５の一端に接続されている。
第２熱交換器５は、一端が膨張弁１１を介して第１熱交換器３に接続されており、他端が四路切換弁９に接続されている。
四路切換弁９は、冷媒の流路切換手段であって、図６（ａ）に示すように、第１のポートと第３のポートとが連通すると同時に第２のポートと第４のポートとが連通する状態と、図６（ｂ）に示すように、第１のポートと第４のポートとが連通すると同時に第２のポートと第３のポートとが連通する状態とに切り換え可能である。そして、この四路切換弁９の切り換えにより冷媒回路における冷媒の流路を変更して、第１熱交換器３が凝縮器として機能すると同時に第２熱交換器５が蒸発器として機能する第１の状態と、第１熱交換器３が蒸発器として機能すると同時に第２熱交換器５が凝縮器として機能する第２の状態とを切り換えを行うことができる。
【００５１】
〔運転動作〕
次に、上述した空気調和機１０の運転動作について説明する。空気調和機１０は、第１空気と第２空気とを取り込み、除湿運転と加湿運転とを切り換えて行う。また、空気調和機は、第１の状態と第２の状態とを交互に繰り返すことにより、除湿運転および加湿運転を連続的に行う。また、空気調和機１０は、全換気モードの除湿運転および加湿運転と、循環モードの除湿運転および加湿運転とを行う。以下で、各運転モードにおける制御内容について詳しく説明する。
【００５２】
−全換気モードの冷房除湿運転−
空気調和機１０において全換気モードの冷房除湿運転を行う場合には、制御部８０は、室外空気ＯＡとして取り込んだ第１空気を空調空気ＳＡとして室内に供給する一方、室内空気ＲＡとして取り込んだ第２空気を排出空気ＥＡとして室外に排出するように各部を制御する。
【００５３】
《第１動作》
第１ファン７９および第２ファン７７を駆動した第１動作では、第２熱交換器５において吸着動作、第１熱交換器３において再生（脱離）動作が行われる。つまり、第１動作では、図６（ａ）および図７に示すように、第２熱交換器５に第１空気として取り込んだ室外空気ＯＡ中の水分が吸着され、第１熱交換器３の表面に担持された吸着剤から脱離した水分が第２空気に付与される。
【００５４】
また、四路切換弁９は、図６（ａ）に示すように、第１ポートと第３ポートとが接続され、第２ポートと第４ポートとが接続された状態に切り換えられる。その結果、冷媒回路１の第１熱交換器３が凝縮器として機能し、第２熱交換器５が蒸発器として機能する。
つまり、圧縮機７から吐出された高温高圧の冷媒は、加熱用の熱媒体として第１熱交換器３に流れる。この第１熱交換器３において、冷媒によってフィン１３および伝熱管１５の外表面に担持された吸着剤が加熱されて、吸着剤から水分が脱離して吸着剤が再生される。
【００５５】
一方、第１熱交換器３において凝縮した冷媒は、膨張弁１１で減圧される。減圧後の冷媒は、冷却用の熱媒体として第２熱交換器５に流れる。第２熱交換器５においては、フィン１３および伝熱管１５の外表面に担持された吸着剤が水分を吸着する際に吸着熱が発生する。第２熱交換器５の冷媒は、この吸着熱を吸熱して蒸発する。蒸発した冷媒は、圧縮機７に戻り、循環が繰り返される。
【００５６】
また、第１ファン７９および第２ファン７７の駆動により、第２吸込口２１より第２空気として流入した室内空気ＲＡは、第２流入路５７を流れ、第５の開口３１ａから第１熱交換室６９に流れる。この第１熱交換室６９において、第２空気は、第１熱交換器３の吸着剤より脱離した水分が放出されて加湿される。この加湿された第２空気は、第１熱交換室６９から第３の開口３３ｃを経て第１流出路６５を流れ、第１ファン７９を経て第１吹出口２３から排出空気ＥＡとして室外に排出される。
【００５７】
一方、第１吸込口１９より流入した室外空気ＯＡは、第１空気として第１流入路６３を流れ、第２の開口３３ｂから第２熱交換室７３に流れる。この第２熱交換室７３において、第１空気は、水分が第２熱交換器５の吸着剤に吸着されて除湿される。さらに、第１空気は、第２熱交換器５における冷媒の蒸発熱によって顕熱を奪われる。このように冷房除湿された第１空気は、第２熱交換室７３から第８の開口３１ｄを経て第２流出路５９を流れ、第２ファン７７を経て第２吹出口２５から、空調空気ＳＡとして室内に供給される。
この第１動作を所定のバッチ切換時間が経過するまで行った後、第２動作を行う。
【００５８】
《第２動作》
第１ファン７９および第２ファン７７を駆動した第２動作では、図６（ｂ）に示すように、第１熱交換器３での吸着動作と、第２熱交換器５での再生動作とが行われる。つまり、第２動作では、図６（ｂ）および図８に示すように、第１熱交換器３に第１空気として取り込まれた室外空気ＯＡ中の水分が吸着され、第２熱交換器５の表面に担持された吸着剤から脱離した水分が第１空気に付与されて、室内空気ＳＡとして室内に供給される。
【００５９】
また、四路切換弁９は、図６（ｂ）に示すように、第１ポートと第４ポートとが接続され、第２ポートと第３ポートとが接続された状態に切り換えられる。その結果、冷媒回路１では、第２熱交換器５が凝縮器として機能し、第１熱交換器３が蒸発器として機能する。
つまり、圧縮機７から吐出された高温高圧の冷媒は、加熱用の熱媒体として第２熱交換器５に流れる。この第２熱交換器５において、冷媒によってフィン１３および伝熱管１５の外表面に担持された吸着剤が加熱されて吸着剤から水分が脱離して吸着剤が再生される。
【００６０】
一方、第２熱交換器５で凝縮した冷媒は、膨張弁１１で減圧される。減圧後の冷媒は、冷却用の熱媒体として第１熱交換器３に流れる。この第１熱交換器３において、フィン１３および伝熱管１５の外表面に担持された吸着剤が水分を吸着する際に吸着熱が発生する。第１熱交換器３の冷媒は、この吸着熱を吸熱して蒸発する。蒸発した冷媒は、圧縮機７に戻り、冷媒はこの循環を繰り返す。
【００６１】
また、第１ファン７９および第２ファン７７の駆動により、第２吸込口２１より室内空気ＲＡとして流入した第２空気は、第２流入路５７を流れ、第６の開口３１ｂから第２熱交換室７３に流れる。この第２熱交換室７３において、第２空気は、第２熱交換器５の吸着剤より脱離した水分が放出されて加湿される。この加湿された第２空気は、第２熱交換室７３から第４の開口３３ｄを経て第１流出路６５を流れ、第１ファン７９を経て第１吹出口２３から、排出空気ＥＡとして室外に排出される。
【００６２】
一方、第１吸込口１９より室外空気ＯＡとして流入した第１空気は、第１流入路６３を流れ、第１の開口３３ａから第１熱交換室６９に流れる。この第１熱交換室６９において、第１空気は、水分が第１熱交換器３の吸着剤に吸着されて除湿される。さらに、第１空気は、第１熱交換器３における冷媒の蒸発熱によって顕熱を奪われる。このように冷房除湿された第１空気は、第１熱交換室６９から第７の開口３１ｃを経て第２流出路５９を流れ、第２ファン７７を経て第２吹出口２５から、空調空気ＳＡとして室内に供給される。
【００６３】
この第２動作を所定のバッチ切換時間が経過するまで行った後、再び第１動作を行う。そして、この第１動作と第２動作とを所定のバッチ切換時間が経過する毎に繰り返すことで室内空間における除湿を連続的に行う。
−全換気モードの暖房加湿運転−
空気調和機１０において全換気モードの暖房加湿運転を行う場合には、制御部８０が、室内空気ＲＡとして取り込んだ第１空気を室外空気ＥＡとして室外に排出し、室外空気ＯＡとして取り込んだ第２空気を室内空気ＳＡとして室内に供給するように各部を制御する。
【００６４】
《第１動作》
第１ファン７９および第２ファン７７を駆動した第１動作では、第２熱交換器５での吸着動作と、第１熱交換器３での再生動作とが行われる。つまり、第１動作では、図６（ａ）および図９に示すように、第２熱交換器５に第１空気として取り込まれた室内空気ＲＡ中の水分が吸着され、第１熱交換器３の表面に担持された吸着剤から脱離した水分がＯＡとして取り込まれた第２空気に付与される。
【００６５】
また、四路切換弁９は、図６（ａ）に示すように、第１ポートと第３ポートとが接続され、第２ポートと第４ポートとが接続された状態に切り換えられる。その結果、冷媒回路１の第１熱交換器３が凝縮器として機能し、第２熱交換器５が蒸発器として機能する。
つまり、圧縮機７から吐出された高温高圧の冷媒は、加熱用の熱媒体として第１熱交換器３に流れる。この第１熱交換器３において、冷媒によってフィン１３および伝熱管１５の外表面に担持された吸着剤が加熱されて吸着剤から水分が脱離して吸着剤が再生される。
【００６６】
一方、第１熱交換器３において凝縮した冷媒は、膨張弁１１で減圧される。減圧後の冷媒は、冷却用の熱媒体として第２熱交換器５に流れる。この第２熱交換器５において、フィン１３および伝熱管１５の外表面に担持された吸着剤が水分を吸着する際に吸着熱が発生する。第２熱交換器５の冷媒は、この吸着熱を吸熱して蒸発する。蒸発した冷媒は、圧縮機７に戻り、冷媒はこの循環を繰り返す。
【００６７】
また、第１ファン７９および第２ファン７７の駆動により、第２吸込口２１より室内空気ＲＡとして流入した第１空気は、第２流入路５７を流れ、第６の開口３１ｂから第２熱交換室７３に流れる。この第２熱交換室７３において、第１空気に含まれる水分が第２熱交換器５の吸着剤に吸着されて除湿される。この除湿された第１空気は、排出空気ＥＡとなり、第２熱交換室７３から第４の開口３３ｄを経て第１流出路６５を流れ、第１ファン７９を経て第１吹出口２３より室外に排出される。
【００６８】
一方、第１吸込口１９より室外空気ＯＡとして流入した第２空気は、第１流入路６３を流れ、第１の開口３３ａから第１熱交換室６９に流れる。第２空気は、この第１熱交換室６９において、第１熱交換器３の吸着剤より脱離した水分が放出されて加湿される。さらに、第２空気は、第１熱交換器３における冷媒の凝縮熱によって顕熱を与えられる。このように暖房加湿された第２空気は、第１熱交換室６９から第７の開口３１ｃを経て第２流出路５９を流れ、第２ファン７７を経て第２吹出口２５から調湿空気ＳＡとして室内に供給される。
この第１動作を所定のバッチ切換時間が経過するまで行った後、第２動作を行う。
【００６９】
《第２動作》
第１ファン７９および第２ファン７７を駆動した第２動作では、第１熱交換器３での吸着動作と、第２熱交換器５での再生動作とが行われる。つまり、第２動作では、図６（ｂ）および図１０に示すように、第１熱交換器３に室内空気ＲＡとして取り込まれた第１空気中の水分が吸着され、第２熱交換器５から脱離した水分が室外空気ＯＡとして取り込まれた第２空気に付与される。
【００７０】
また、上記四路切換弁９は、図６（ｂ）に示すように、第１ポートと第４ポートとが接続され、第２ポートと第３ポートとが接続された状態に切り換えられる。その結果、冷媒回路１では、第２熱交換器５が凝縮器として機能し、第１熱交換器３が蒸発器として機能する。
つまり、圧縮機７から吐出された高温高圧の冷媒は、加熱用の熱媒体として第２熱交換器５に流れる。この第２熱交換器５において、冷媒によってフィン１３および伝熱管１５の外表面に担持された吸着剤が加熱されて吸着剤から水分が脱離して吸着剤が再生される。
【００７１】
一方、上記第２熱交換器５で凝縮した冷媒は、膨張弁１１で減圧される。減圧後の冷媒は、冷却用の熱媒体として第１熱交換器３に流れる。この第１熱交換器３において、フィン１３および伝熱管１５の外表面に担持された吸着剤が水分を吸着する際に吸着熱が発生する。第１熱交換器３の冷媒は、この吸着熱を吸熱して蒸発する。蒸発した冷媒は、圧縮機７に戻り、冷媒はこの循環を繰り返す。
【００７２】
また、第１ファン７９および第２ファン７７の駆動により、第２吸込口２１より室内空気ＲＡとして流入した第１空気は、第２流入路５７を流れ、第５の開口３１ａから第１熱交換室６９に流れる。この第１熱交換室６９において、第１空気に含まれる水分が第１熱交換器３の吸着剤に吸着されて除湿される。さらに、第１空気は、第１熱交換器３における冷媒の蒸発熱によって顕熱を奪われる。このように、冷房除湿された第１空気は、第１熱交換室６９から第３の開口３３ｃを経て第１流出路６５を流れ、第１ファン７９を経て第１吹出口２３から排出空気ＥＡとして室内に排出される。
【００７３】
一方、第１吸込口１９より室外空気ＯＡとして流入した第２空気は、第１流入路６３を流れ、第２の開口３３ｂから第２熱交換室７３に流れる。第２空気には、第２熱交換室７３において、第２熱交換器５の吸着剤より脱離した水分が放出されて加湿される。この加湿された第２空気は、第２熱交換室７３から第８の開口３１ｄを経て第２流出路５９を流れ、第２ファン７７を経て第２吹出口２５から調湿空気ＳＡとして室外に供給される。
【００７４】
この第２動作を所定のバッチ切換時間が経過するまで行った後、再び第１動作を行う。そして、この第１動作と第２動作とを所定のバッチ切換時間が経過する毎に繰り返して室内空間に対して加湿を連続的に行う。
−循環モードの冷房除湿運転−
空気調和機１０において循環モードの冷房除湿運転を行う場合には、制御部８０が、室内空気ＲＡを取り込んで第１空気として室内に供給する一方、室外空気ＯＡを第２空気として取り込み室外に排出するように各部を制御する。なお、冷媒回路１の冷媒循環については、上述した全換気モードと同様である。
【００７５】
《第１動作》
第１動作では、第２熱交換器５での吸着動作と、第１熱交換器３での再生（脱離）動作とが行われる。つまり、第１動作では、第２熱交換器５に室内空気ＲＡとして取り込まれた第１空気中の水分が吸着され、第１熱交換器３の表面に担持された吸着剤から脱離した水分が室外空気ＯＡとして取り込まれた第２空気に付与される。
【００７６】
第１吸込口１９より室外空気ＯＡとして流入した第２空気は、第１流入路６３を流れ、第１の開口３３ａから第１熱交換室６９に流れる。この第１熱交換室６９において、第２空気は、第１熱交換器３の吸着剤より脱離した水分が放出されて加湿される。この加湿された第２空気は、第１熱交換室６９から第３の開口３３ｃを経て第１流出路６５を流れ、第１ファン７９を経て第１吹出口２３から、排出空気ＥＡとして室外に排出される。
【００７７】
一方、第２吸込口２１より室内空気ＲＡとして流入した第１空気は、第２流入路５７を流れ、第６の開口３１ｂから第２熱交換室７３に流れる。この第２熱交換室７３において、第２空気に含まれる水分が第２熱交換器５の吸着剤に吸着されて除湿される。さらに、第２空気は、第２熱交換器５において冷媒の蒸発熱によって顕熱を奪われる。このように冷房除湿された第２空気は、第２熱交換室７３から第８の開口３１ｄを経て第２流出路５９を流れ、第２ファン７７を経て第２吹出口２５から空調空気ＳＡとして室内に供給される。
この第１動作を所定のバッチ切換時間が経過するまで行った後、第２動作を行う。
【００７８】
《第２動作》
第２動作では、第１熱交換器３での吸着動作と、第２熱交換器５での再生動作とが行われる。つまり、第２動作では、第１熱交換器３に室内空気ＲＡとして取り込まれた第１空気中の水分が吸着され、第２熱交換器５の表面に担持された吸着剤から脱離した水分が第２空気に付与される。
【００７９】
第１吸込口１９より室外空気ＯＡとして流入した第２空気は、第１流入路６３を流れ、第２の開口３３ｂから第２熱交換室７３に流れる。この第２熱交換室７３において、第２空気は、第２熱交換器５の吸着剤より脱離した水分が放出されて加湿される。この加湿された第２空気は、第２熱交換室７３から第４の開口３３ｄを経て第１流出路６５を流れ、第１ファン７９を経て第１吹出口２３から排出空気ＥＡとして室外に排出される。
【００８０】
一方、第２吸込口２１より室内空気ＲＡとして流入した第１空気は、第２流入路５７を流れ、第５の開口３１ａから第１熱交換室６９に流れる。この第１熱交換室６９において、第１空気に含まれる水分が第１熱交換器３の吸着剤に吸着されて除湿される。さらに、第１空気は、第２熱交換器５において冷媒の蒸発熱によって顕熱を奪われる。このように、冷房除湿された第１空気は、第１熱交換室６９から第７の開口３１ｃを経て第２流出路５９を流れ、第２ファン７７を経て第２吹出口２５から空調空気ＳＡとして室内に供給される。
【００８１】
この第２動作を所定のバッチ切換時間が経過するまで行った後、再び第１動作を行う。そして、この第１動作と第２動作とを所定のバッチ切換時間が経過する毎に繰り返して室内空間における除湿を連続的に行う。
−循環モードの暖房加湿運転−
空気調和機１０において循環モードの暖房加湿運転を行う場合には、制御部８０が、室外空気ＯＡとして取り込んだ第１空気を室外に排出し、室内空気ＲＡとして取り込んだ第２空気を室内に供給するように各部を制御する。なお、冷媒回路１の冷媒循環については、上述した全換気モードと同様である。
【００８２】
《第１動作》
第１動作では、第２熱交換器５での吸着動作と、第１熱交換器３での再生動作とが行われる。つまり、第１動作では、第２熱交換器５に室外空気ＯＡとして取り込んだ第１空気中の水分が吸着され、第１熱交換器３の表面に担持された吸着剤から脱離した水分が室内空気ＲＡとして取り込んだ第２空気に付与される。
【００８３】
第２吸込口２１より室内空気ＲＡとして流入した第２空気は、第２流入路５７を流れ、第５の開口３１ａから第１熱交換室６９に流れる。この第１熱交換室６９において、第２空気は、第１熱交換器３の吸着剤より脱離した水分が放出されて加湿される。さらに、第２空気は、第１熱交換器３において冷媒の凝縮熱によって顕熱を与えられる。このように暖房加湿された第２空気は、第１熱交換室６９から第７の開口３１ｃを経て第２流出路５９を流れ、第２ファン７７を経て第２吹出口２５より室内に供給される。
【００８４】
一方、第１吸込口１９より室外空気ＯＡとして流入した第１空気は、第１流入路６３を流れ、第２の開口３３ｂから第２熱交換室７３に流れる。この第２熱交換室７３において、第１空気に含まれる水分が第２熱交換器５の吸着剤に吸着されて除湿される。この除湿された第１空気は、第２熱交換室７３から第４の開口３３ｄを経て第１流出路６５を流れ、第１ファン７９を経て第１吹出口２３から排出空気ＥＡとして室外に排出される。
この第１動作を所定のバッチ切換時間が経過するまで行った後、第２動作を行う。
【００８５】
《第２動作》
第２動作では、第１熱交換器３での吸着動作と、第２熱交換器５での再生動作とが行われる。つまり、第２動作では、第１熱交換器３に室外空気ＯＡとして取り込まれた第１空気中の水分が吸着され、第２熱交換器５の表面に担持された吸着剤から脱離した水分が室内空気ＲＡとして取り込まれた第２空気に付与される。
【００８６】
第２吸込口２１より室内空気ＲＡとして流入した第２空気は、第２流入路５７を流れ、第６の開口３１ｂから第２熱交換室７３に流れる。この第２熱交換室７３において、第２空気は、第２熱交換器５の吸着剤より脱離した水分が放出されて加湿される。さらに、第２空気は、第２熱交換器５において冷媒の凝縮熱によって顕熱を与えられる。このように
暖房加湿された第２空気は、第２熱交換室７３から第８の開口３１ｄを経て第２流出路５９を流れ、第２ファン７７を経て第２吹出口２５から調湿空気ＳＡとして室内に供給される。
【００８７】
一方、第１吸込口１９より室外空気ＯＡとして流入した第１空気は、第１流入路６３を流れ、第１の開口３３ａから第１熱交換室６９に流れる。この第１熱交換室６９において、第１空気に含まれる水分が第１熱交換器３の吸着剤に吸着されて除湿される。この除湿された第１空気は、第１熱交換室６９から第３の開口３３ｃを経て第１流出路６５を流れ、第１ファン７９を経て第１吹出口２３から排出空気ＥＡとして室外に排出される。
【００８８】
この第２動作を所定のバッチ切換時間が経過するまで行った後、再び第１動作を行う。そして、この第１動作と第２動作とを所定のバッチ切換時間が経過する毎に繰り返して室内空間に対する加湿を連続的に行う。
［乾燥運転制御］
本実施形態の空気調和機１０は、通常運転時には上述した各運転モードに従って各種運転を行う一方で、機内におけるドレン水の発生を予測、検知する手段（水位センサ８１、湿度センサ３ｂ，５ｂ等）を備えており、このドレン水予測検知手段によってドレン水の発生が予測、検知された場合には、図１１に示す制御部８０が図１４に示すフローチャートに従って乾燥運転を行う。
【００８９】
−ドレン水の発生を検知した場合の制御−
空気調和機１０は、上述のように、各熱交換器３，５の直下にそれぞれ配置されたドレンパン８３と、ドレンパン８３にドレン水Ｗが溜まってきたことを検知する水位センサ８１とを備えている（図１２参照）。
ここで、本実施形態の空気調和機１０におけるドレン水Ｗの発生について説明する。
【００９０】
空気調和機１０においては、上述したように表面に吸着剤が担持された２つの熱交換器３，５が交互に吸着動作と再生動作とを繰り返すことで、継続的に冷房除湿運転あるいは暖房加湿運転を行う。このとき、蒸発器として機能する熱交換器側においては、熱交換器３，５を通過する空気から水分が吸着剤に吸着されて除湿（潜熱処理）されるが、その空気の湿度に対してバッチ切換時間が長い場合等には吸着剤に吸着される水分量の限界を超えて熱交換器３，５の表面にドレン水が発生する場合がある。このように、蒸発器として機能する際の熱交換器３，５の表面に担持された吸着剤の吸着容量を越えて発生したドレン水Ｗは熱交換器３，５の表面をつたってその直下に配置されたドレンパン８３に溜まっていく。
【００９１】
また、冷媒回路１を流れる冷媒の蒸発温度が低すぎる場合にも、熱交換器３，５を通過する空気が露点温度以下に冷やされて熱交換器３，５の表面に結露することでドレン水が発生することがある。
制御部８０は、水位センサ８１がこのドレンパン８３に溜まったドレン水Ｗを検知すると、以下のような制御を行う。
【００９２】
すなわち、制御部８０は、ステップ（以下Ｓと示す）１の通常運転中に、Ｓ２においてドレン水Ｗの発生を検知すると、第１に、例えば、Ｓ４において、それ以降の運転におけるドレン水Ｗの発生を抑えるために、バッチ切換時間を短縮する制御を行う。これにより、熱交換器３，５が蒸発器として機能する１回あたりの時間を短くすることで、吸着剤が高い吸着力を維持したまま吸着動作を行うことができる。よって、例えば、吸着剤で吸着しきれずに熱交換器３，５において発生するドレン水Ｗの発生を抑えることができる。
【００９３】
また、それ以降の運転においてドレン水Ｗの発生を抑えるための他の制御方法として、Ｓ３において冷媒回路１を構成する圧縮機７の容量を落とす制御を行ってもよい。これにより、冷媒回路１に流れる冷媒の蒸発温度を空気の露点温度以上に上げて、蒸発器として機能する各熱交換器３，５の温度を上昇させる。この結果、蒸発器として機能する際の熱交換器３，５を空気が通過する際に結露してドレン水Ｗが発生することを防止できる。
【００９４】
また、それ以降の運転においてドレン水Ｗの発生を抑えるためのさらに他の制御方法として、Ｓ５において、バッチ切換時間の経過時において、冷媒流路の切り換えタイミングを空気流路の切り換えタイミングよりも早くするような制御を行ってもよい。これにより、冷媒回路１の熱容量を処理してから吸着剤において水分の吸着、水分の脱離（再生）が行われるため、熱交換器３，５を通過する空気に含まれる潜熱負荷の処理を継続しながら、空気を通過させることで、熱交換器３，５における結露の発生を抑えることができる。
【００９５】
ここで、水位センサ８１によるドレン水Ｗの検知は、すでにドレン水Ｗが発生してドレンパン８３に存在していることを示している。
本実施形態の空気調和機１０では、上述した検知後にさらなるドレン水の発生を抑える第１の制御とともに、第２の制御として、すでに発生したドレン水Ｗを消滅させるような制御も行うことができる。
【００９６】
すなわち、このようなドレン水を消滅させる場合には、Ｓ６において、制御部８０が、バッチ切換時間を長くする制御を行う。これにより、すでに発生しているドレン水の蒸発を促進させることができる。この結果、熱交換器３，５およびドレンパン８３に発生したドレン水を消滅させることができる。
すでに発生したドレン水を消滅させる他の制御方法として、ドレン水の発生を検知した場合には、Ｓ７において、制御部８０が一時的に上述した循環モードに運転を切り換える制御を行ってもよい。
【００９７】
これにより、空気の流路を切り換えて循環運転を行うことで、湿度の低い室内空気を蒸発器として機能する熱交換器３，５へ送り、湿度の高い外気を凝縮器として機能する熱交換器３，５へ送ることができる。この結果、蒸発器として機能する熱交換器３，５の表面に担持された吸着剤とすでに発生したドレン水を乾燥させることができる。よって、空気調和機におけるドレン水の発生を効果的に抑制するとともに、湿度の低い室内空気によってすでに発生しているドレン水の蒸発を促進することができる。
【００９８】
また、すでに発生したドレン水を消滅させるようなさらに他の制御方法として、図１５に示すように、発生したドレン水を蒸発させるための熱を与えるヒータ（熱源）８６を備えており、ドレン水の発生を検知した場合には、Ｓ８において、制御部８０がヒータ８６の電源をＯＮする制御であってもよい。これにより、発生したドレン水に熱を与えて蒸発させることで、機内において発生したドレン水を消滅させることができる。なお、ヒータ８６の配置は、図１５に示すようにドレンパン８３の下側に限定されるものではなく、ドレンパンの上部からドレン水を直接加熱するように配置されていてもよい。また、ヒータ８６から直接ドレン水を加熱するのではなく、加熱した空気を熱風にしてドレン水に当てて乾燥させてもよい。
【００９９】
そして、このような乾燥運転は、Ｓ９において、制御部が所定の条件（タイマ設定時間、所定の湿度に到達等）を満足したことを検知すると、Ｓ１０において通常運転へ切り換えられることで終了する。
−ドレン水の発生を予測した場合の制御−
空気調和機１０は、図１３に示すように、各熱交換器３，５を通過する前、あるいは通過した後の空気の温度、湿度を測定する温湿度センサ４、湿度センサ３ｂ，５ｂを備えている。
【０１００】
本実施形態の空気調和機１０では、例えば、上記湿度センサ３ｂ，５ｂを用いて熱交換器３，５を通過した空気の湿度を計測し、制御部８０が、その計測結果が所定の値以上である場合やその高湿度の状態が一定時間以上継続した場合にドレン水の発生を予測する。
これにより、熱交換器３，５において実際にドレン水が発生する前にドレン水の発生を予測して、ドレン水の発生しにくい運転状態に切り換える制御を行うことができる。
【０１０１】
また、ドレン水の発生を予測する別の方法として、温湿度センサ４とサーミスタ３ａ，５ａとを用いてドレン水の発生を予測する方法を採用してもよい。
すなわち、本実施形態の空気調和機１０では、熱交換器３，５を通過する前の空気の温度と湿度とを計測する。そして、制御部８０が、温湿度センサ４による測定結果から露点温度を求め、その露点温度に補正値を加えた値が蒸発機として機能する熱交換器３，５に取り付けられたサーミスタ３ａ，５ａによって計測される温度よりも高い場合には、ドレン水の発生を予測する。
【０１０２】
この方法によっても、上記と同様に、熱交換器３，５において実際にドレン水が発生する前にドレン水の発生を予測して、ドレン水の発生しにくい運転状態に切り換える制御を行うことができる。
そして、制御部８０は、湿度センサ３ｂ，５ｂにおける計測結果に基づいてドレン水の発生を予測すると、以下のような制御を行う。
【０１０３】
すなわち、制御部８０は、Ｓ２においてドレン水発生を予測すると、それ以降の運転におけるドレン水の発生を抑えるために、Ｓ４においてバッチ切換時間を短縮する制御を行う。これにより、熱交換器３，５が蒸発器として機能する１回あたりの時間を短くすることで、吸着剤が高い吸着力を維持したまま吸着動作を行うことができるため、吸着剤で吸着しきれずに発生したドレン水の発生を抑えることができる。
【０１０４】
また、他の制御方法として、制御部８０は、Ｓ３において冷媒回路１を構成する圧縮機７の容量を落とす制御を行ってもよい。これにより、冷媒回路１に流れる冷媒の蒸発温度を空気の露点温度以上に上げて、蒸発器として機能する各熱交換器３，５の温度を上昇させることができる。この結果、蒸発器として機能する際の熱交換器３，５を空気が通過する際に結露してドレン水が発生することを防止できる。
【０１０５】
また、さらに他の制御方法として、制御部８０は、Ｓ５においてバッチ切換時間の経過時において、冷媒流路の切り換えタイミングを空気流路の切り換えタイミングよりも早くする制御を行ってもよい。これにより、冷媒回路１の熱容量を処理してから吸着剤において水分の吸着、水分の脱離（再生）が行われるため、熱交換器３，５を通過する空気に含まれる潜熱負荷の量を減らすことなく、空気を通過させることで、熱交換器３，５におけるドレン水の発生を抑えることができる。
なお、乾燥運転の終了制御については、上記と同様に、Ｓ９において、制御部が所定の条件（タイマ設定時間、所定の湿度に到達等）を満足したことを検知すると、Ｓ１０において通常運転へ切り換えられることで終了する。
【０１０６】
［本空気調和機の特徴］
（１）
本実施形態の空気調和機１０は、デシカント式の外調機であって、制御部８０が、ドレン水認識部として機能する水位センサ８１等を用いて、熱交換器３，５のうち、蒸発器とし機能する側におけるドレン水の発生を検知、あるいは湿度センサ３ｂ，５ｂ等を用いてドレン水の発生を予測すると、それ以降のドレン水の発生を抑制するための乾燥運転を行う。
【０１０７】
これにより、水位センサ８１等のドレン水認識部におけるドレン水の発生を検知、予測した後における空気調和機の室内機内におけるドレン水の発生を抑えることができる。この結果、例えば、ドレン配管の配管径を小さくしたり、ドレン配管を不要にしたりすることができ、ドレン配管の材料費や配管配設工事費用を削減してコストダウンを図ることができる。
【０１０８】
（２）
本実施形態の空気調和機１０は、ドレン水認識部として、水位センサ８１、湿度センサ３ｂ，５ｂ、温湿度センサ４等を備えている。
これにより、空気調和機１０の室内機内におけるドレン水の発生を検知あるいは予測することができる。
【０１０９】
（３）
本実施形態の空気調和機１０では、制御部８０が、ドレン水の発生を予測あるいは検知すると、冷媒回路１を構成する圧縮機７の容量を抑えて乾燥運転を行う。
これにより、冷媒回路１内を流れる冷媒の蒸発温度を上昇させて、例えば、熱交換器３，５を通過する空気の露点温度よりも上昇させることができる。この結果、ドレン水の発生予測、検知後において、蒸発器として機能する熱交換器３，５を通過する空気が熱交換器３，５において結露してドレン水が発生することを効果的に抑制することができる。
【０１１０】
（４）
本実施形態の空気調和機１０では、制御部８０が、２つの熱交換器３，５をそれぞれ凝縮器、蒸発器として機能させる第１の状態と、蒸発器、凝縮器として機能させる第２の状態とを所定のバッチ切換時間経過毎に交互に切り換えて、各熱交換器３，５の表面に担持された吸着剤における吸着動作、再生動作を繰り返し行わせる。そして、ドレン水の発生を予測、検知すると、バッチ切換時間を短縮して乾燥運転を行う。
【０１１１】
これにより、分を吸着し過ぎた状態になる前に吸着剤を再生するため、吸着剤が常に高い吸着力を保持した状態を維持することができるとともに、顕熱負荷の処理能力が低下する。この結果、潜熱負荷を効率よく処理することが可能になり、ドレン水の発生を効果的に抑制することができる。また、顕熱負荷があまり処理されていない状態の空気が熱交換器を通過することになるため、すでに発生したドレン水の乾燥を促進させることもできる。
【０１１２】
（５）
本実施形態の空気調和機１０では、上述のように、制御部８０が空気流路切換機構９１を制御して全換気モードと循環モードとを切り換える。そして、制御部８０は、ドレン水の発生を検知すると、一時的に循環モードに切り換えて乾燥運転を行う。
これにより、湿度の高い外気が蒸発器として機能する熱交換器３，５を通過することを防止し、かつ湿度の高い外気を凝縮器として機能する熱交換器３，５を通過させることで、ドレン水の発生を効果的に抑制することができる。さらに、蒸発器として機能する熱交換器３，５側には、比較的湿度の低い室内空気が通過するため、すでに発生したドレン水の乾燥を促進させることができる。
【０１１３】
（６）
本実施形態の空気調和機１０では、制御部８０が、２つの熱交換器３，５を凝縮器、蒸発器として機能させる第１の状態と、蒸発器、凝縮器として機能させる第２の状態とを所定のバッチ切換時間経過毎に交互に切り換えて、各熱交換器３，５の表面に担持された吸着剤における吸着動作、再生動作を繰り返し行わせる。さらに、制御部８０は、実際にドレン水が発生したことを検知すると、上記バッチ切換時間を検知等する前の運転よりも長くして乾燥運転を行う。
【０１１４】
これにより、空気流路切換時間が長くなることで、ドレン水を蒸発させやすい状態にすることができる。
（７）
本実施形態の空気調和機１０の制御方法では、上述のように、ドレン水認識部として機能する水位センサ８１等を用いて、吸着剤が表面に担持された熱交換器３，５のうち、蒸発器とし機能する側におけるドレン水の発生を検知、あるいは湿度センサ３ｂ，５ｂ等を用いてドレン水の発生を予測すると、それ以降のドレン水の発生を抑制するための乾燥運転を行う。
【０１１５】
これにより、水位センサ８１等のドレン水認識部におけるドレン水の発生を検知、予測した後における空気調和機の室内機内におけるドレン水の発生を抑えることができる。この結果、例えば、ドレン配管の配管径を小さくしたり、ドレン配管を不要にしたりすることができ、ドレン配管の材料費や配管配設工事費用を削減してコストダウンを図ることができる。
［他の実施形態］
以上、本発明の一実施形態について説明したが、本発明は実施形態に限定されるものではなく、発明の要旨を逸脱しない範囲で種々の変更が可能である。
【０１１６】
（Ａ）
上記実施形態では、ドレン水の発生を検知する手段として、水位センサ８１を用いる例を挙げて説明した。しかし、本発明はこれに限定されるものではない。
例えば、図１６に示すように、第１熱交換器３または第２熱交換器５の側面における上部に設けられたサーミスタ３ｃ，５ｃと、最下部に設けられたサーミスタ３ｄ，５ｄと、を用いてドレン水の発生を検知してもよい。
【０１１７】
このような構成を備えた空気調和機では、蒸発器として機能する熱交換器３，５においてドレン水が発生すると、熱交換器３，５の側面をつたって最下部に取り付けられたサーミスタ３ｄ，５ｄに接触する。そして、バッチ切換時間の経過後に空気および冷媒の流路が切り換えられると、熱交換器３，５が凝縮器として機能し、サーミスタの温度が上昇する。このとき、ドレン水が発生している場合には、最下部のサーミスタ３ｄ，５ｄはドレン水と接触しているため、ドレン水と接触していない上部のサーミスタ３ｃ，５ｃとの間で温度上昇に差が生じる。この結果、熱交換器３，５の上部と最下部とにそれぞれ取り付けられたサーミスタ３ｃ，５ｃおよびサーミスタ３ｄ，５ｄにおける、熱交換器３，５が凝縮器として機能する際の温度上昇に差が生じたことを検知することで、制御部８０はドレン水の発生を検知することができる。
【０１１８】
なお、図１６では、サーミスタが熱交換器３，５の双方に取り付けられているが、熱交換器３，５に対して、サーミスタ３ｃ，３ｄあるいはサーミスタ５ｃ，５ｄのいずれか一方のみが取り付けられている構成であってもよい。
（Ｂ）
上記実施形態では、ドレン水の発生を検知する手段として、フロート式の水位センサ８１を例に挙げて説明した。しかし、本発明はこれに限定されるものではない。
【０１１９】
例えば、同じ水位センサであっても、図１７に示すように、ドレンパン８３の底面に配置されたサーミスタ（ドレン水認識部）８５であってもよい。このサーミスタ８５を用いた水位センサでは、吸着動作を行う蒸発器として機能する熱交換器側において発生したドレン水がドレンパン８３に配置されたサーミスタ８５に接触すると温度測定値が空気温度からドレン水の温度まで下降することを検知してドレン水の発生を検知することができる。
【０１２０】
（Ｃ）
上記実施形態では、空気調和機１０が２つの熱交換器（第１熱交換器３、第２熱交換器）を備えており、バッチ式制御を行う例を挙げて説明した。しかし、本発明はこれに限定されるものではない。
例えば、単一の熱交換器を用いて吸着剤を担持した調湿ユニットを回転させる等の方法により吸着動作と再生動作とを行うフロー式の空気調和機であってもよい（特開２００１−２０８３７４号公報参照）。このようなフロー式空気調和機であっても、上記実施形態の空気調和機１０と同様に乾燥制御運転を行うことができる。
【０１２１】
さらに、本発明の空気調和機は、換気機能を備えた上記実施形態のデシカント式外調機に対して、換気機能を備えていないデシカント式調湿機であってもよい。
（Ｄ）
上記実施形態では、空気調和機１０が、２つの熱交換器（第１熱交換器３、第２熱交換器５）を備えている例を挙げて説明した。しかし、本発明はこれに限定されるものではない。
【０１２２】
例えば、３つ以上の熱交換器を備えており、所定の数の熱交換器が吸着動作、その他の熱交換器が再生動作を行う第１の状態と、上記所定の数の熱交換器が再生動作、その他の熱交換器が吸着動作を行う第２の状態とを切り換えるようにバッチ式制御が行われる空気調和機１０であってもよい。
（Ｅ）
上記実施形態では、第１熱交換器３および第２熱交換器５がクロスフィン式のフィン・アンド・チューブ型熱交換器である例を挙げて説明した。しかし、本発明はこれに限定されるものではない。
【０１２３】
例えば、コルゲートフィン式の熱交換器等の他の形式の熱交換器であってもよい。
（Ｆ）
上記実施形態では、吸着剤を、ディップ成形によって各フィン１３および伝熱管１５の外表面に担持している例を挙げて説明した。しかし、本発明はこれに限定されるものではない。
【０１２４】
例えば、吸着剤としての性能を損なわない限り、他のいかなる方法でその外表面に吸着剤を担持してもよい。
（Ｇ）
上記実施形態では、室内空間における温度および湿度を測定する温湿度センサ４と、湿度を測定する湿度センサ３ｂ，５ｂとを備えている例を挙げて説明した。しかし、本発明はこれに限定されるものではない。
【０１２５】
例えば、温湿度センサ４、湿度センサ３ｂ，５ｂのうち、いずれか一方を備えている構成であってもよい。ただし、この場合には、温度と湿度の両面からドレン水の発生を予測、検知することができないため、正確な制御を行いたい場合には上記実施形態のように室内空間における気温および湿度を測定する温湿度センサ４と、湿度を測定する湿度センサ３ｂ，５ｂとを両方備えていることがより好ましい。
【０１２６】
なお、湿度センサ３ｂ，５ｂおよび温湿度センサ４は、２つずつ設けられているが、熱交換器３，５のいずれか一方に１つずつ設けられていればよい。
【産業上の利用可能性】
【０１２７】
本発明の空気調和機は、機内におけるドレン水の発生を効果的に抑制できるという効果を奏することから、デシカント式の調湿機や外調機等の空気調和機に広く適用可能である。
【図面の簡単な説明】
【０１２８】
【図１】本発明の一実施形態に係る空気調和機の構成を示す平面図。
【図２】図１のI−I線におけるケーシング内部の構成を示す矢視断面図。
【図３】図１のII−II線におけるケーシング内部の構成を示す矢視断面図。
【図４】図１の空気調和機が備えている熱交換器を示す斜視図。
【図５】本発明の一実施形態に係る空気調和機が備えている冷媒回路を示す回路図。
【図６】（ａ），（ｂ）は、図１の空気調和機が備えている冷媒回路の制御状態を示す回路図。
【図７】図１の空気調和機における空気の流れを示す平面図。
【図８】図１の空気調和機における空気の流れを示す平面図。
【図９】図１の空気調和機における空気の流れを示す平面図。
【図１０】図１の空気調和機における空気の流れを示す平面図。
【図１１】図１の空気調和機が備えている制御部に接続された各構成を示すブロック図。
【図１２】図１の空気調和機が備えているドレン水認識部の一例を示すフローチャート。
【図１３】図１の空気調和機が備えているドレン水認識部の他の例を示すフローチャート。
【図１４】図１の空気調和機における乾燥運転制御の他の例を示すフローチャート。
【図１５】本発明のさらに他の実施形態に係る空気調和機が備えている熱源を示す側面図。
【図１６】本発明のさらに他の実施形態を示す空気調和機が備えているドレン水認識部の一例を示す側面図。
【図１７】本発明のさらに他の実施形態を示す空気調和機が備えているドレン水認識部の他の例を示す側面図。
【符号の説明】
【０１２９】
１              冷媒回路
３              第１熱交換器
３ａ，５ａ      サーミスタ（ドレン水認識部、センサ）
３ｂ，５ｂ      湿度センサ（ドレン水認識部、センサ）
３ｃ，５ｃ      サーミスタ（ドレン水認識部、センサ）
３ｄ，５ｄ      サーミスタ（ドレン水認識部、センサ）
５              第２熱交換器
６              第３熱交換器
７              圧縮機
９              四路切換弁（冷媒流路切換部）
１０            空気調和機
１１            膨張弁
１３            フィン
１５            伝熱管
１７            ケーシング
１９            第１吸込口
２１            第２吸込口
２３            第１吹出口
２５            第２吹出口
２７            仕切板
２９ａ          空気室
２９ｂ          機器室
３１ａ〜３１ｂ  第１〜第４の開口
３５〜３８      第５〜第８ダンパ（空気流路切換部）
４７〜５０      第１〜第４ダンパ（空気流路切換部）
５７            第２流入路
５９            第２流出路
６３            第１流入路
６５            第１流出路
６９            第１熱交換室
７３            第２熱交換室
７７，７９      送風ファン
８０            制御部
８１            水位センサ（ドレン水認識部）
８１ａ          本体部
８１ｂ          ステム
８１ｃ          フロート
８３            ドレンパン
８５            サーミスタ（ドレン水認識部、温度センサ）
８６            ヒータ（熱源）
９１            空気流路切換機構
９５            キャピラリーチューブ
９６            電磁弁
１００          冷媒回路
１０１          空気調和機
１０２，１０３  調湿エレメント
【手続補正３】
【補正対象書類名】図面
【補正対象項目名】図１４
【補正方法】変更
【補正の内容】
【図１４】
2005291571.tif 000020